(57)【要約】【課題】読み手が分かり易い文書を作成することができる技術を提供する。【解決手段】文書の構造をそれぞれ示す複数の文書構造情報と、複数の第１パラメータの値とをそれぞれ対応させて記憶しておき、複数の第１パラメータの値に応じて、複数の文書構造情報に含まれる少なくとも一部の文書構造情報を空間順次又は時間順次に可視的に出力する。次に、ユーザによる情報の入力に応じて、複数の文書構造情報から１つの文書構造情報が指定された状態で、１つの文書情報を生成する。この１つの文書情報の生成に応答して、１つの文書情報に対して、指定されていた１つの文書構造情報を関連付けて記憶する。そして、この記憶された１つの文書情報の可視的な出力時における所定の情報の入力に応じて、文書情報の生成時に指定されていた１つの文書構造情報に係る第１パラメータの値を変更する。【選択図】図３
2009110485.tif 000002
【特許請求の範囲】
【請求項１】
情報処理システムであって、
文書の構造をそれぞれ示す複数の文書構造情報と、複数の第１パラメータの値とをそれぞれ対応させて記憶する第１記憶手段と、
前記複数の第１パラメータの値に応じて、前記複数の文書構造情報に含まれる少なくとも一部の文書構造情報を空間順次または時間順次に可視的に出力する出力手段と、
ユーザによる情報の入力に応答して、前記複数の文書構造情報から１つの文書構造情報を指定する指定手段と、
ユーザによる情報の入力に応答して、前記指定手段によって前記１つの文書構造情報が指定された状態で、１つの文書情報を生成する文書生成手段と、
前記文書生成手段による前記１つの文書情報の生成に応答して、前記１つの文書情報に対して前記指定手段によって指定された前記１つの文書構造情報を関連付けて記憶する第２記憶手段と、
前記第２記憶手段に記憶された前記１つの文書情報の可視的な出力時における所定の情報の入力に応じて、前記１つの文書構造情報に係る第１パラメータの値を変更する第１パラメータ変更手段と、
を備えることを特徴とする情報処理システム。
【請求項２】
請求項１に記載の情報処理システムであって、
前記文書構造情報が、
テンプレートを示す情報を含み、
前記文書生成手段が、
ユーザによって入力された情報と、前記指定手段によって指定された前記１つの文書構造情報とに基づき、前記１つの文書情報を生成することを特徴とする情報処理システム。
【請求項３】
請求項１または請求項２に記載の情報処理システムであって、
前記所定の情報の入力が、
前記１つの文書情報に対する質問情報、及び前記１つの文書情報に対する書き直しを要求する情報のうちの少なくとも一方の情報の入力を含むことを特徴とする情報処理システム。
【請求項４】
請求項１から請求項３の何れかに記載の情報処理システムであって、
前記所定の情報の入力が、
前記１つの文書情報が可視的に出力されている期間を示す情報の入力を含むことを特徴とする情報処理システム。
【請求項５】
請求項１から請求項４の何れかに記載の情報処理システムであって、
前記複数の文書構造情報に含まれる１以上の文書構造情報に係る第１パラメータの値が所定条件を満たしたことに応答して、前記第１記憶手段から前記１以上の文書構造情報を削除する削除手段、
を更に備えることを特徴とする情報処理システム。
【請求項６】
請求項１から請求項５の何れかに記載の情報処理システムであって、
ユーザによる文書の構造を示す情報の入力に応じて、文書構造情報を生成する文書構造生成手段と、
前記文書構造生成手段によって生成された文書構造情報を、前記第１記憶手段に記憶された前記複数の文書構造情報に追加する追加手段と、
前記文書構造生成手段によって生成された文書構造情報に対し、所定のルールに従って、第１パラメータの初期値を設定する設定手段と、
を更に備えることを特徴とする情報処理システム。
【請求項７】
請求項６に記載の情報処理システムであって、
各ユーザの識別情報に対して第２パラメータの値を関連付けて記憶する第３記憶手段、
を更に備え、
前記設定手段が、
前記第３記憶手段を参照しつつ、前記文書の構造を示す情報を入力したユーザの識別情報に対応する第２パラメータの値に応じて、前記文書構造生成手段によって生成された文書構造情報に対し、第１パラメータの初期値を設定することを特徴とする情報処理システム。
【請求項８】
請求項７に記載の情報処理システムであって、
所定のユーザによる文書の構造を示す情報の入力に応じて前記文書構造生成手段によって生成された１以上の文書構造情報に対応する第１パラメータの値の変化に応じて、前記所定のユーザに係る第２パラメータの値を変更する第２パラメータ変更手段、
を更に備えることを特徴とする情報処理システム。
【請求項９】
請求項６から請求項８の何れかに記載の情報処理システムであって、
ユーザによる情報の入力に応じて、前記第１記憶手段に記憶された複数の文書構造情報に含まれる１つの文書構造情報を修正の対象として決定する決定手段、
を更に備え、
前記文書構造生成手段が、
ユーザによる情報の入力に応じて、前記決定手段によって決定された１つの文書構造情報の一部を修正することで、修正後の文書構造情報を生成し、
前記追加手段が、
前記文書構造生成手段によって生成された前記修正後の文書構造情報を、前記第１記憶手段に記憶された前記複数の文書構造情報に追加し、
前記設定手段が、
前記決定手段によって決定された１つの文書構造情報に係る第１パラメータの値に応じて、前記修正後の文書構造情報に対し、第１パラメータの初期値を設定することを特徴とする情報処理システム。
【請求項１０】
請求項１から請求項６の何れかに記載の情報処理システムであって、
複数の文書情報を記憶する第３記憶手段と、
前記複数の文書情報に対して所定の言語処理を施すことで、文書を構成する複数の項目にそれぞれ属する複数の要素を認識する認識手段と、
前記複数の文書情報から、前記認識手段によって認識された複数の要素を抜き出すことで、前記複数の文書構造情報を生成する文書構造生成手段と、
を更に備えることを特徴とする情報処理システム。
【請求項１１】
請求項１０に記載の情報処理システムであって、
前記文書構造生成手段による各種類の文書構造情報の生成頻度に応じて、前記文書構造生成手段によって生成された複数の文書構造情報のうちの少なくとも一部の文書構造情報を採用して、前記第１記憶手段に記憶させる採用手段、
を更に備えることを特徴とする情報処理システム。
【請求項１２】
請求項１１に記載の情報処理システムであって、
前記複数の文書情報を入力した各入力者の識別情報に対して第２パラメータの値を関連付けて記憶する第４記憶手段と、
前記第３記憶手段が、
前記複数の文書情報に含まれる各文書情報に対して、該各文書情報を入力した入力者の識別情報を関連付けて記憶し、
前記採用手段が、
前記第３及び第４記憶手段を参照しつつ、前記文書構造生成手段によって生成された各種類の文書構造情報の生成元となった１以上の文書情報に関連付けられた入力者の識別情報に係る第２パラメータの値により、前記文書構造生成手段による各種類の文書構造情報の生成頻度に対して重み付けを行うことで得られる所定のパラメータの値に応じて、前記文書構造生成手段によって生成された複数の文書構造情報のうちの少なくとも一部の文書構造情報を採用して、前記第１記憶手段に記憶させることを特徴とする情報処理システム。
【請求項１３】
請求項１２に記載の情報処理システムであって、
所定の入力者が入力した１以上の文書情報に基づいて前記文書構造生成手段で生成された１以上の文書構造情報に対応する第１パラメータの値に応じて、前記第４記憶手段に記憶された前記所定の入力者に係る第２パラメータの値を変更する第２パラメータ変更手段、
を更に備えることを特徴とする情報処理システム。
【請求項１４】
請求項１３に記載の情報処理システムであって、
前記採用手段が、
所定のタイミングごとに、前記文書構造生成手段によって生成された複数の文書構造情報のうちの少なくとも一部の文書構造情報を採用することを特徴とする情報処理システム。
【請求項１５】
請求項１０または請求項１１に記載の情報処理システムであって、
前記第３記憶手段が、
前記複数の文書情報に含まれる各文書情報に対して、該各文書情報を入力した入力者の識別情報を関連付けて記憶し、
前記文書構造生成手段が、
前記複数の文書情報から前記複数の文書構造情報を生成する際に、各前記文書構造情報の生成元の１以上の文書情報を入力した入力者の識別情報を認識し、各前記文書構造情報に対して、該各文書構造情報の生成元となった１以上の文書情報を入力した入力者の識別情報を関連付けて、前記複数の文書構造情報を前記第１記憶手段に記憶させ、
前記情報処理システムが、
前記複数の文書情報を入力した各入力者の識別情報に対して第２パラメータの値を関連付けて記憶する第４記憶手段と、
前記第１及び第４記憶手段を参照しつつ、前記文書構造生成手段によって生成された各前記文書構造情報の生成元の１以上の文書情報を入力した入力者に係る第２パラメータの値に応じて、前記文書構造生成手段によって生成された各前記文書構造情報に対し、第１パラメータの初期値を設定する設定手段と、
を更に備えることを特徴とする情報処理システム。
【請求項１６】
請求項１５に記載の情報処理システムであって、
所定の入力者が入力した１以上の文書情報に基づいて前記文書構造生成手段で生成された１以上の文書構造情報に対応する第１パラメータの値に応じて、前記第４記憶手段に記憶された前記所定の入力者に係る第２パラメータの値を変更する第２パラメータ変更手段、
を更に備えることを特徴とする情報処理システム。
【請求項１７】
請求項１０から請求項１６の何れかに記載の情報処理システムであって、
前記所定の言語処理が、
機械学習によって得られた情報を用いた言語処理であることを特徴とする情報処理システム。
【請求項１８】
請求項１から請求項１７の何れかに記載の情報処理システムであって、
前記文書が、
読影レポートを含むことを特徴とする情報処理システム。
【請求項１９】
情報処理システムに含まれるコンピュータによって実行されることにより、前記情報処理システムを、請求項１から請求項１８の何れかに記載の情報処理システムとして機能させるプログラム。
【発明の詳細な説明】
【技術分野】
【０００１】
本発明は、情報処理システム、及びそのシステムとしてコンピュータを機能させるためのプログラムに関する。
【背景技術】
【０００２】
近年、パーソナルコンピュータ（パソコン）等において、文書の雛形（テンプレート）を用いて文章を作成する事が頻繁に行われている。テンプレートを用いて文章を作成すると、容易に且つ統一した様式で文章を記載することができる。
【０００３】
そして、過去の読影レポートから文章構造を抽出することで読影レポートを作成するためのテンプレートを容易に作成するとともに、撮影レポートの作成のための入力を容易にして、病院内の読影レポートの文章構造を統一させることが可能な技術が提案されている（例えば、特許文献１）。また、テンプレートだけでなく、訪問スポット等といった行動のモデルを示す情報を提示し、その行動のモデルに従って行動した人の評価により、行動のモデルを示す情報の提示順が決定される技術も提案されている（例えば、特許文献２）。
【０００４】
【特許文献１】特開２００５−１４８９８９号公報
【特許文献２】特開２００７−８０２９６号公報
【発明の開示】
【発明が解決しようとする課題】
【０００５】
しかしながら、上記特許文献１で提案された技術では、文章の作成と文章の構造の統一とを容易に図ることができるが、読み手にとって分かり易い文章を作成するといった観点については全く考慮されていなかった。また、上記特許文献２で提案された技術では、訪問スポットに行った人の評価に従って訪問スポットの表示順が決定されるものの、読み手側からの視点、例えば、読み手にとって情報が分かり易いものであるか否かといった観点については全く考慮されていなかった。
【０００６】
そして、このような問題は、文字のみで表されるものだけでなく、図、表、文字、数字、及び記号の全て又はその一部を選択的に用いた文書一般に共通する。
【０００７】
本発明は、上記課題に鑑みてなされたものであり、読み手が分かり易い文書を作成することができる技術を提供することを目的とする。
【課題を解決するための手段】
【０００８】
上記の課題を解決するために、請求項１の発明は、情報処理システムであって、文書の構造をそれぞれ示す複数の文書構造情報と、複数の第１パラメータの値とをそれぞれ対応させて記憶する第１記憶手段と、前記複数の第１パラメータの値に応じて、前記複数の文書構造情報に含まれる少なくとも一部の文書構造情報を空間順次または時間順次に可視的に出力する出力手段と、ユーザによる情報の入力に応答して、前記複数の文書構造情報から１つの文書構造情報を指定する指定手段と、ユーザによる情報の入力に応答して、前記指定手段によって前記１つの文書構造情報が指定された状態で、１つの文書情報を生成する文書生成手段と、前記文書生成手段による前記１つの文書情報の生成に応答して、前記１つの文書情報に対して前記指定手段によって指定された前記１つの文書構造情報を関連付けて記憶する第２記憶手段と、前記第２記憶手段に記憶された前記１つの文書情報の可視的な出力時における所定の情報の入力に応じて、前記１つの文書構造情報に係る第１パラメータの値を変更する第１パラメータ変更手段とを備えることを特徴とする。
【０００９】
また、請求項２の発明は、請求項１に記載の情報処理システムであって、前記文書構造情報が、テンプレートを示す情報を含み、前記文書生成手段が、ユーザによって入力された情報と、前記指定手段によって指定された前記１つの文書構造情報とに基づき、前記１つの文書情報を生成することを特徴とする。
【００１０】
また、請求項３の発明は、請求項１または請求項２に記載の情報処理システムであって、前記所定の情報の入力が、前記１つの文書情報に対する質問情報、及び前記１つの文書情報に対する書き直しを要求する情報のうちの少なくとも一方の情報の入力を含むことを特徴とする。
【００１１】
また、請求項４の発明は、請求項１から請求項３の何れかに記載の情報処理システムであって、前記所定の情報の入力が、前記１つの文書情報が可視的に出力されている期間を示す情報の入力を含むことを特徴とする。
【００１２】
また、請求項５の発明は、請求項１から請求項４の何れかに記載の情報処理システムであって、前記複数の文書構造情報に含まれる１以上の文書構造情報に係る第１パラメータの値が所定条件を満たしたことに応答して、前記第１記憶手段から前記１以上の文書構造情報を削除する削除手段を更に備えることを特徴とする。
【００１３】
また、請求項６の発明は、請求項１から請求項５の何れかに記載の情報処理システムであって、ユーザによる文書の構造を示す情報の入力に応じて、文書構造情報を生成する文書構造生成手段と、前記文書構造生成手段によって生成された文書構造情報を、前記第１記憶手段に記憶された前記複数の文書構造情報に追加する追加手段と、前記文書構造生成手段によって生成された文書構造情報に対し、所定のルールに従って、第１パラメータの初期値を設定する設定手段とを更に備えることを特徴とする。
【００１４】
また、請求項７の発明は、請求項６に記載の情報処理システムであって、各ユーザの識別情報に対して第２パラメータの値を関連付けて記憶する第３記憶手段を更に備え、前記設定手段が、前記第３記憶手段を参照しつつ、前記文書の構造を示す情報を入力したユーザの識別情報に対応する第２パラメータの値に応じて、前記文書構造生成手段によって生成された文書構造情報に対し、第１パラメータの初期値を設定することを特徴とする。
【００１５】
また、請求項８の発明は、請求項７に記載の情報処理システムであって、所定のユーザによる文書の構造を示す情報の入力に応じて前記文書構造生成手段によって生成された１以上の文書構造情報に対応する第１パラメータの値の変化に応じて、前記所定のユーザに係る第２パラメータの値を変更する第２パラメータ変更手段を更に備えることを特徴とする。
【００１６】
また、請求項９の発明は、請求項６から請求項８の何れかに記載の情報処理システムであって、ユーザによる情報の入力に応じて、前記第１記憶手段に記憶された複数の文書構造情報に含まれる１つの文書構造情報を修正の対象として決定する決定手段を更に備え、前記文書構造生成手段が、ユーザによる情報の入力に応じて、前記決定手段によって決定された１つの文書構造情報の一部を修正することで、修正後の文書構造情報を生成し、前記追加手段が、前記文書構造生成手段によって生成された前記修正後の文書構造情報を、前記第１記憶手段に記憶された前記複数の文書構造情報に追加し、前記設定手段が、前記決定手段によって決定された１つの文書構造情報に係る第１パラメータの値に応じて、前記修正後の文書構造情報に対し、第１パラメータの初期値を設定することを特徴とする。
【００１７】
また、請求項１０の発明は、請求項１から請求項６の何れかに記載の情報処理システムであって、複数の文書情報を記憶する第３記憶手段と、前記複数の文書情報に対して所定の言語処理を施すことで、文書を構成する複数の項目にそれぞれ属する複数の要素を認識する認識手段と、前記複数の文書情報から、前記認識手段によって認識された複数の要素を抜き出すことで、前記複数の文書構造情報を生成する文書構造生成手段とを更に備えることを特徴とする。
【００１８】
また、請求項１１の発明は、請求項１０に記載の情報処理システムであって、前記文書構造生成手段による各種類の文書構造情報の生成頻度に応じて、前記文書構造生成手段によって生成された複数の文書構造情報のうちの少なくとも一部の文書構造情報を採用して、前記第１記憶手段に記憶させる採用手段を更に備えることを特徴とする。
【００１９】
また、請求項１２の発明は、請求項１１に記載の情報処理システムであって、前記複数の文書情報を入力した各入力者の識別情報に対して第２パラメータの値を関連付けて記憶する第４記憶手段と、前記第３記憶手段が、前記複数の文書情報に含まれる各文書情報に対して、該各文書情報を入力した入力者の識別情報を関連付けて記憶し、前記採用手段が、前記第３及び第４記憶手段を参照しつつ、前記文書構造生成手段によって生成された各種類の文書構造情報の生成元となった１以上の文書情報に関連付けられた入力者の識別情報に係る第２パラメータの値により、前記文書構造生成手段による各種類の文書構造情報の生成頻度に対して重み付けを行うことで得られる所定のパラメータの値に応じて、前記文書構造生成手段によって生成された複数の文書構造情報のうちの少なくとも一部の文書構造情報を採用して、前記第１記憶手段に記憶させることを特徴とする。
【００２０】
また、請求項１３の発明は、請求項１２に記載の情報処理システムであって、所定の入力者が入力した１以上の文書情報に基づいて前記文書構造生成手段で生成された１以上の文書構造情報に対応する第１パラメータの値に応じて、前記第４記憶手段に記憶された前記所定の入力者に係る第２パラメータの値を変更する第２パラメータ変更手段を更に備えることを特徴とする。
【００２１】
また、請求項１４の発明は、請求項１３に記載の情報処理システムであって、前記採用手段が、所定のタイミングごとに、前記文書構造生成手段によって生成された複数の文書構造情報のうちの少なくとも一部の文書構造情報を採用することを特徴とする。
【００２２】
また、請求項１５の発明は、請求項１０または請求項１１に記載の情報処理システムであって、前記第３記憶手段が、前記複数の文書情報に含まれる各文書情報に対して、該各文書情報を入力した入力者の識別情報を関連付けて記憶し、前記文書構造生成手段が、前記複数の文書情報から前記複数の文書構造情報を生成する際に、各前記文書構造情報の生成元の１以上の文書情報を入力した入力者の識別情報を認識し、各前記文書構造情報に対して、該各文書構造情報の生成元となった１以上の文書情報を入力した入力者の識別情報を関連付けて、前記複数の文書構造情報を前記第１記憶手段に記憶させ、前記情報処理システムが、前記複数の文書情報を入力した各入力者の識別情報に対して第２パラメータの値を関連付けて記憶する第４記憶手段と、前記第１及び第４記憶手段を参照しつつ、前記文書構造生成手段によって生成された各前記文書構造情報の生成元の１以上の文書情報を入力した入力者に係る第２パラメータの値に応じて、前記文書構造生成手段によって生成された各前記文書構造情報に対し、第１パラメータの初期値を設定する設定手段とを更に備えることを特徴とする。
【００２３】
また、請求項１６の発明は、請求項１５に記載の情報処理システムであって、所定の入力者が入力した１以上の文書情報に基づいて前記文書構造生成手段で生成された１以上の文書構造情報に対応する第１パラメータの値に応じて、前記第４記憶手段に記憶された前記所定の入力者に係る第２パラメータの値を変更する第２パラメータ変更手段を更に備えることを特徴とする。
【００２４】
また、請求項１７の発明は、請求項１０から請求項１６の何れかに記載の情報処理システムであって、前記所定の言語処理が、機械学習によって得られた情報を用いた言語処理であることを特徴とする。
【００２５】
また、請求項１８の発明は、請求項１から請求項１７の何れかに記載の情報処理システムであって、前記文書が、読影レポートを含むことを特徴とする。
【００２６】
また、請求項１９の発明は、情報処理システムに含まれるコンピュータによって実行されることにより、前記情報処理システムを、請求項１から請求項１８の何れかに記載の情報処理システムとして機能させるプログラムである。
【００２７】
なお、本明細書では、「文書」という文言を、図、表、文字、数字、及び記号の全て又はその一部を選択的に用いたものを含む意味で使用している。また、「文書の構造」と言う文言を、文書を構成する要素の配列を含む意味で使用している。
【発明の効果】
【００２８】
請求項１から請求項１９の何れに記載の発明によっても、読み手による所定の情報の入力に応じて複数の文書の構造の表示順が変更されるため、複数の文書の構造の表示順を読み手の評価に応じたものとすることができる。したがって、ユーザは、文書の読み手の評価が相対的に高い文書の構造に沿って文書を作成することができ、その結果、読み手が分かり易い文書を作成することができる。
【００２９】
また、請求項２に記載の発明によれば、テンプレートに沿って文書を作成する構成を採用することで、ユーザは、容易に読み手が分かり易い文書を作成することができる。
【００３０】
また、請求項３及び請求項４の何れに記載の発明によっても、所定のパラメータをより適正に読み手の評価を反映したものとすることができる。
【００３１】
また、請求項４に記載の発明によれば、読み手が特別な操作をしなくても所定のパラメータをより適正に読み手の評価を反映したものとすることができる。
【００３２】
また、請求項５に記載の発明によれば、表示される文書の構造が多く成り過ぎて、文書の作成に利用する文書の構造の選択が難しくなるような不具合を回避することができる。
【００３３】
また、請求項６から請求項９の何れに記載の発明によっても、ユーザの意図に応じて文書の構造の充実化を容易に図ることができる。
【００３４】
また、請求項７及び請求項８の何れに記載の発明によっても、文書の構造の提示順を文書の構造を作成した者の評価に応じたものとすることができるため、ユーザは読み手が読み易いであろうと推察される文書の構造を容易に選択することができる。
【００３５】
また、請求項８に記載の発明によれば、文書の構造の評価を、その文書の構造を作成した者の評価に反映させることができる。
【００３６】
また、請求項９に記載の発明によれば、新たな文書の構造であっても、読み手から既にある程度の評価を得ている文書の構造に依拠して作成されたものであれば、元の文書の構造に対する評価に応じた評価が付与されるようにすることができるため、より読み手が読み易いであろうと推察される文書構造の選択が容易な表示が実現される。
【００３７】
また、請求項１０から請求項１７の何れに記載の発明によっても、既存の文書に応じて提示するための文書の構造が準備されるため、過去の知識を利用して、容易に読み手が読み易い文書構造を提示することができる。
【００３８】
また、請求項１１に記載の発明によれば、表示される文書構造がある程度厳選されて提示されるため、ユーザにとって文書の作成に利用する文書構造の選択が容易となる。つまり、不要な文書構造の提示による操作性の低下を防ぐ。
【００３９】
また、請求項１２に記載の発明によれば、ある文書の構造が過去に利用された頻度とその文書の構造に沿って文書を入力した入力者の評価とに応じて、提示される文書構造がある程度厳選されるため、ユーザが文書の作成に利用する文書構造を容易に選択することができる。
【００４０】
また、請求項１３及び請求項１４の何れに記載の発明によっても、文書の入力者の評価を、その入力者が入力した文書に係る文書の構造の評価に応じて変動させることができるため、時間の経過とともに入力者の評価を容易に変動させることができ、時間の経過とともに変化する読み手が読み易い文書の構造をユーザが容易に認識することができる。
【００４１】
また、請求項１４に記載の発明によれば、時間の経過とともに変化する入力者の評価も反映させて、提示される文書構造をある程度厳選することも可能となるため、時間の経過とともに変化する読み手が読み易い文書構造をユーザが容易に認識することができる。
【００４２】
また、請求項１５及び請求項１６の何れに記載の発明によっても、文書の構造の元となる文書を入力した入力者の評価に応じて、提示される文書の構造の順が決まるようにすることができるため、ユーザは読み手が読み易いであろうと推察される文書の構造を容易に選択することができる。
【００４３】
また、請求項１６に記載の発明によれば、入力者の評価が、その入力者が入力した文書に係る文書の構造の評価に応じて変動するため、時間の経過ととも入力者の評価を容易に変動させることができ、時間の経過とともに変化する読み手が読み易い文書構造をユーザが容易に認識することができる。
【００４４】
また、請求項１７に記載の発明によれば、既存の文書からユーザに提示する文書の構造を容易に生成することができる。
【００４５】
また、請求項１８に記載の発明によれば、ユーザは読み手が分かり易い読影レポートを作成することができる。
【発明を実施するための最良の形態】
【００４６】
以下、本発明の実施形態を図面に基づいて説明する。
【００４７】
＜情報処理システムの概略構成＞
図１は、本発明の実施形態に係る情報処理システム１の概要を示す図である。
【００４８】
情報処理システム１は、例えば、病院内で診療情報を管理・処理するためのシステムであり、無線ＬＡＮ（Local Area Network）等の通信回線ＮＬを介して、サーバ１００、文書入力装置３００，４００、及び文書閲覧装置５００，６００が相互にデータ送受信可能に接続されて構成されている。また、サーバ１００には、管理用ＰＣ２００がデータの送受信が可能な態様で接続されている。
【００４９】
サーバ１００、及び管理用ＰＣ２００は、例えば、病院の情報システムを管理する部屋等に設置される。また、文書入力装置３００，４００は、例えば、放射線科のいわゆる読影医の部屋等に設置される。更に、文書閲覧装置５００，６００は、例えば、各診療科のいわゆる担当医の診察室等に設置される。
【００５０】
図２は、情報処理システム１の構成を示すブロック図である。なお、文書入力装置３００，４００は、同様な構成を有し、文書閲覧装置５００，６００は、同様な構成を有する。このため、図２では、図の簡略化のために、１台の文書入力装置３００、及び１台の文書閲覧装置５００が代表例として記載されている。
【００５１】
サーバ１００は、サーバ制御部１１０、及び記憶部１２０を備えている。サーバ制御部１１０は、ＣＰＵやＲＯＭやＲＡＭ等を備え、記憶部１２０に記憶されたプログラムＰ１を読み込んで実行することで、各種機能や制御を実現する。また、記憶部１２０は、ハードディスク等を備えて構成され、既存文書データベース（ＤＢ）１２１、テンプレート仮登録データベース（ＤＢ）１２２、ユーザスコアテーブル１２３、テンプレートデータベース（ＤＢ）１２４、新文書データベース（ＤＢ）１２５、及びプログラムＰ１を記憶する。
【００５２】
既存文書ＤＢ１２１は、医療に関する文書を示す情報（以下「文書情報」とも称する）が多数蓄積されたデータベースである。ここでは、各文書情報が、放射線科で撮影された画像に対する所見文を示す情報であるものとする。
【００５３】
テンプレート仮登録ＤＢ１２２は、読影レポートの所見文の雛形に相当するテンプレートを示す情報（以下「テンプレート情報」と称し、適宜「テンプレート」と略称する）が仮に蓄積されて構築されるデータベースである。なお、本実施形態では、テンプレートは、例えば、所見文のうち、主要な項目の語句を自由に入力可能とした文章の雛形であり、文書の構造を示す。つまり、ここでは、テンプレート情報が、文書の構造を示す情報（以下「文書構造情報」とも称する）となっている。
【００５４】
ユーザスコア（以下「Ｕスコア」と略称）テーブル１２３は、各個人（ユーザや文書の入力者等）を識別するための情報（識別情報）に対して、各個人の評価を示す所定のパラメータの値（ここでは、Ｕスコア）が関連付けられて構成される。なお、各個人の識別情報としては、例えば、ユーザ名やユーザＩＤ等が挙げられる。また、各個人の評価としては、各個人がこれまでに提供したテンプレートの評価等を反映させたものが含まれ、Ｕスコアは、各個人の信頼度を反映させた値に相当する。
【００５５】
テンプレートＤＢ１２４は、テンプレート情報が蓄積されて構築されるデータベースである。また、テンプレートＤＢ１２４では、各テンプレートに対して、そのテンプレートに対する評価を示す所定のパラメータの値が対応付けられている。なお、ここでは、所定のパラメータの値として、テンプレートの評価を示すスコア（以下「Ｔスコア」とも称する）が採用される。
【００５６】
新文書ＤＢ１２５は、テンプレートを用いて生成された各文書情報に対して、その文書情報を生成する際に用いられたテンプレートの種類を識別する情報（以下「Ｔ識別情報」とも称する）が関連付けられて構成される。
【００５７】
既存文書ＤＢ１２１、テンプレート仮登録ＤＢ１２２、Ｕスコアテーブル１２３、テンプレートＤＢ１２４、及び新文書ＤＢ１２５については、更に後述する。
【００５８】
管理用ＰＣ２００は、例えば、パーソナルコンピュータ（パソコン）等によって構成され、ＰＣ制御部２１０、記憶部２２０、表示部２３０、及び入力部２４０を備えている。ＰＣ制御部２１０は、ＣＰＵやＲＯＭやＲＡＭ等を備え、記憶部２２０に記憶されたプログラムＰ２を読み込んで実行することで、各種機能や制御を実現する。記憶部２２０は、ハードディスク等を備えて構成され、プログラムＰ２等を記憶する。表示部２３０は、液晶表示ディスプレイ等の画像を可視的に表示するものである。入力部２４０は、例えば、キーボードやマウス等を備えて構成され、ユーザ（例えば、情報処理システム１の管理者）による各種操作に応答して、ＰＣ制御部２１０に対して各種信号を送出する。
【００５９】
文書入力装置３００は、例えば、パーソナルコンピュータ（パソコン）等によって構成され、制御部３１０、記憶部３２０、表示部３３０、及び入力部３４０を備えている。制御部３１０は、ＣＰＵやＲＯＭやＲＡＭ等を備え、記憶部３２０に記憶されたプログラムＰ３を読み込んで実行することで、各種機能や制御を実現する。記憶部３２０は、ハードディスク等を備えて構成され、プログラムＰ３等を記憶する。表示部３３０は、液晶表示ディスプレイ等の画像を可視的に表示するものである。入力部３４０は、例えば、キーボードやマウス等を備えて構成され、ユーザ（例えば、読影医）による各種操作に応答して、制御部３１０に対して各種信号を送出する。
【００６０】
文書閲覧装置５００は、例えば、パーソナルコンピュータ（パソコン）等によって構成され、制御部５１０、記憶部５２０、表示部５３０、及び入力部５４０を備えている。制御部５１０は、ＣＰＵやＲＯＭやＲＡＭ等を備え、記憶部５２０に記憶されたプログラムＰ５を読み込んで実行することで、各種機能や制御を実現する。記憶部５２０は、ハードディスク等を備えて構成され、プログラムＰ５等を記憶する。表示部５３０は、液晶表示ディスプレイ等の画像を可視的に表示するものである。入力部５４０は、例えば、キーボードやマウス等を備えて構成され、ユーザ（例えば、担当医）による各種操作に応答して、制御部５１０に対して各種信号を送出する。
【００６１】
なお、情報処理システム１では、各種情報処理において一時的に生成される各種データが、サーバ制御部１１０、ＰＣ制御部２１０、及び制御部３１０，５１０にそれぞれ内蔵されるＲＡＭ等に適宜一時的に記憶される。また、以上のように構成された情報処理システム１は、文書入力装置３００や文書閲覧装置５００等からサーバ１００に格納された各種データベースを参照可能な所謂データベースシステムとして機能する。
【００６２】
＜情報処理システムにおける処理の概要＞
図３は、情報処理システム１における処理の概要を示す図である。
【００６３】
図３で示すように、まず、サーバ１００において、既存文書ＤＢ１２１に蓄積される複数の文書情報から複数のテンプレートが生成されて記憶部１２０に蓄積されることで、テンプレート仮登録ＤＢ１２２が構築される。次に、テンプレート仮登録ＤＢ１２２に蓄積された複数のテンプレートから、所定の条件（例えば、テンプレートの生成頻度に関する条件等）を満たす複数のテンプレートが採用されて記憶部１２０に蓄積されることで、テンプレートＤＢ１２４が構築される。このとき、各テンプレートに対し、Ｕスコアテーブル１２３から各テンプレートを生成する元となった文書情報を入力した者（入力者）に係るＵスコアが認識され、そのＵスコアに応じたＴスコアが設定される。このようにして、各テンプレートに対してＴスコアが関連付けられたテンプレートＤＢ１２４が準備される。
【００６４】
次に、文書入力装置３００において、テンプレートＤＢ１２４に蓄積された複数のテンプレートが、Ｔスコアの順に提示される。そして、文書を作成しようとする者（作成者）である読影医により、複数のテンプレートから１つのテンプレートが選択され、その１つのテンプレートが用いられて文書（ここでは、所見文）が生成される。なお、新規に生成された所見文を示す情報は、記憶部１２０に記憶されることで、新文書ＤＢ１２５が構築される。
【００６５】
そして、文書閲覧装置５００において、文書の読み手である担当医により、新文書ＤＢ１２５に蓄積された複数の所見文から、所望の所見文が閲覧され、その所見文に対する評価がなされる。このとき、その評価結果に応じて、閲覧している所見文を生成する際に用いられたテンプレートのＴスコアが変動する。
【００６６】
また、文書の作成者である読影医は、必要に応じて、新規なテンプレートを作成して、テンプレートＤＢ１２４に追加することができる。
【００６７】
このように、情報処理システム１は、テンプレートＤＢ１２４を準備する機能（以下「テンプレート準備機能」とも称する）、テンプレートを用いて文書を生成する機能（以下「文書生成機能」とも称する）、Ｔスコアを変動させる機能（以下「Ｔスコア変動機能」とも称する）、及びテンプレートＤＢ１２４に新規なテンプレートを追加する機能（以下「テンプレート追加機能」とも称する）といった機能を有する。
【００６８】
以下、テンプレート準備機能、文書生成機能、Ｔスコア変動機能、及びテンプレート追加機能といった４つの機能について順次説明する。
【００６９】
＜テンプレート準備機能＞
図４は、情報処理システム１のテンプレート準備機能に係る機能構成について示すブロック図である。
【００７０】
サーバ制御部１１０は、テンプレート準備機能に係る機能構成として、データ読込部１１１ａ、処理済判定部１１１ｂ、要素認識部１１１ｃ、テンプレート生成部１１１ｄ、テンプレート採用部１１１ｅ、及びＴスコア設定部１１１ｆ等といった機能構成を有する。
【００７１】
データ読込部１１１ａは、既存文書ＤＢ１２１から、文書情報（ここでは、所見文）を読み込み、処理済判定部１１１ｂに送出する。
【００７２】
図５は、既存文書ＤＢ１２１の記憶内容の具体例を示す模式図である。
【００７３】
既存文書ＤＢ１２１では、複数の文書にあたる複数の所見文が蓄積され、各所見文に対して、各所見文を入力した者（例えば、読影医等）を示す識別情報（ユーザＩＤ等）が関連付けられている。なお、図５では図示を省略しているが、各所見文に対しては、既にテンプレートを生成する処理（以下「Ｔ生成処理」とも称する）の対象となったか否かを示す情報が付与されているものとする。
【００７４】
処理済判定部１１１ｂは、文書情報が、Ｔ生成処理が施されたか否か判定し、Ｔ生成処理が施されていない文書情報を要素認識部１１１ｃに送出する。
【００７５】
要素認識部１１１ｃは、処理済判定部１１１ｂから時間順次に送られてくる各文書情報に対して、所定の基準情報を用いた所定の言語処理を施すことで、文書を構成する所定数の項目にそれぞれ属する複数の要素を認識する。所定の基準情報としては、例えば、所見文を構成する主な要素の項目（例えば、部位、所見、診断）を示す語句が、各項目毎にまとめられたデータテーブル等が挙げられる。
【００７６】
テンプレート生成部１１１ｄは、各文書情報から、要素認識部１１１ｃによって認識された複数の要素を抜き出すことで、各テンプレートを生成する。例えば、各所見文から、要素認識部１１１ｃによって認識された複数の語句が抜き出されて、抜き出した語句が属する項目を示す表示に置き換えられることで、各テンプレートが生成される。
【００７７】
図６は、要素認識部１１１ｃ及びテンプレート生成部１１１ｄによって既存の所見文から１つのテンプレートが生成される過程を例示する図である。
【００７８】
まず、要素認識部１１１ｃでは、既存の所見文が取得されると、形態素解析により所見文が形態素に分解され、更に、所定の基準情報に従って、所定の項目を示す語句（例えば、部位を示す前頭葉、所見を示す高信号域、診断を示す梗塞）が認識される。そして、テンプレート生成部１１１ｄでは、要素認識部１１１ｃで認識された複数の語句が所見文から抜き出されて、抜き出された語句の位置が、抜き出された語句が属する項目を示す表示（例えば、<部位>、<所見>、<診断>等）に置換されることで、１つのテンプレートＧＴが生成される。
【００７９】
なお、ここでは、所定の基準情報が、各項目毎に複数の語句が列挙されたデータテーブルであったが、これに限られず、例えば、所見文で各項目の語句が出現するパターンを示す情報（以下「パターン情報」とも称する）を機械学習によって得たものであっても良い。
【００８０】
このパターン情報は、例えば、次の手法で得られる。例えば、要素認識部１１１ｃにおいて、所見文の形式に準じた大量の文章に含まれる各文章を形態素解析によって形態素に分解し、形態素毎に、形態素そのもの、形態素の品詞、形態素の活用形、前後（例えば前後２つ）の形態素の情報等を用いて、ある項目に属する形態素が出現するパターンを示す情報（パターン情報）を取得する。
【００８１】
例えば、「**に沿って」（「**」部には種々の語が入る）といった形の文が頻出する場合に、「**」の部分に部位を示す語句が頻出するときには、「**」の部分には部位を示す語句が入るというパターン情報を学習することができる。そして、このパターン情報を利用すれば、既存の所見文を対象として、語の前後関係からフレーズ「下垂体／に／沿って」から「下垂体」を部位を示す語句として抽出することができる。なお、上記機械学習は、いわゆるＳＶＭ（Support Vector Machine）を利用することで実現することができる。このような構成を採用すると、既存の文書からユーザに提示するテンプレートを容易に生成することができる。
【００８２】
このようにしてテンプレート生成部１１１ｄで時間順次に生成される複数のテンプレートが記憶部１２０に記憶されることで、テンプレート仮登録ＤＢ１２２が構築される。
【００８３】
図７は、テンプレート仮登録ＤＢ１２２の記憶内容の具体例を示す模式図である。
【００８４】
テンプレート仮登録ＤＢ１２２では、テンプレート生成部１１１ｄで生成された複数のテンプレートが蓄積され、テンプレートの種類ごとに、テンプレートの種類を識別するＴ識別情報（ここでは、テンプレート番号、以下「Ｔ番号」と略称）が付されるとともに、重複するテンプレートについては、テンプレート生成部１１１ｄで生成された回数、すなわち累積数が各テンプレートに対して関連付けられている。また、各種類のテンプレートに対して、テンプレートを生成する元となった所見文を入力した入力者の識別情報（例えば、ユーザＩＤ等）も関連付けられている。
【００８５】
テンプレートに対するＴ番号の付与は、テンプレート生成部１１１ｄにおいて、新たな種類のテンプレートが生成される度に行われる。例えば、テンプレート生成部１１１ｄにより、テンプレート仮登録ＤＢ１２２に格納されたテンプレートと、新規に生成されたテンプレートとが照合されることで、新たな種類のテンプレートであるか否かが判定される。そして、新たな種類のテンプレートに対して、新規なＴ番号が付されるとともに、累積数の初期値（ここでは、１）が付される。また、テンプレート生成部１１１ｄにより、新規に生成されたテンプレートが、既にテンプレート仮登録ＤＢ１２２に格納された種類のテンプレートである場合には、その種類のテンプレートに付された累積数が単に１つ増加される。つまり、累積数は、テンプレート生成部１１１ｄにおいて各種類のテンプレートが生成される頻度（生成頻度）を示す。
【００８６】
また、テンプレートに対するユーザの識別情報の関連付けは、テンプレート生成部１１１ｄにおいて、既存文書ＤＢ１２１において各所見文に関連付けられた入力者の識別情報が認識されることで、新たなテンプレートが生成される度に行われる。但し、ここでは、同じ種類のテンプレートには、同一の入力者の識別情報が重複して関連付けられないように設定されている。なお、図７では、各種類のテンプレートに対して１名分の入力者の識別情報しか関連付けられていないが、これに限られず、２名分以上の入力者の識別情報が関連付けられても良い。
【００８７】
また、図７では、累積数の多い順に、上から順にテンプレートが並べられた状態が示されているが、このように、テンプレート仮登録ＤＢ１２２において累積数の順にテンプレートが管理されていれば、後述するテンプレートの採用の処理を行う上で好ましい。
【００８８】
テンプレート採用部１１１ｅは、テンプレート仮登録ＤＢ１２２に格納された複数のテンプレートのうち、その累積数に応じて、少なくとも一部（すなわち１以上または全部）のテンプレートを採用して、採用されたテンプレートを、記憶部１２０に記憶する。
【００８９】
テンプレート採用部１１１ｅにおける累積数に応じたテンプレートの採用手法としては、例えば、累積数が所定の条件を満たすテンプレートを採用する手法や、累積数にＵスコアテーブル１２３内のＵスコアを加味してテンプレートを採用する手法等が挙げられる。
【００９０】
ここで、累積数が所定の条件を満たす場合としては、例えば、累積数が所定数（例えば、５等）を超える場合や、テンプレート仮登録ＤＢ１２２に格納された全テンプレートの累積数の合計における各種類のテンプレートの累積数の割合が所定の割合（例えば、５％等）を超える場合等が挙げられる。
【００９１】
次に、累積数にＵスコアを加味してテンプレートを採用する手法の具体例について説明する。
【００９２】
図８は、Ｕスコアテーブル１２３の記憶内容の具体例を示す模式図である。
【００９３】
Ｕスコアテーブル１２３では、各個人の識別情報（例えば、ユーザＩＤ及びユーザ名等）と、Ｕスコアとが関連付けられている。
【００９４】
テンプレート採用部１１１ｅでは、まず、テンプレート仮登録ＤＢ１２２に格納された全種類のテンプレートについて、各種類のテンプレートの累積数に、該各種類のテンプレートが生成される元となった所見文の入力者のＵスコアを乗じた値が、テンプレートの採用に用いる所定のパラメータ（以下「採用基準パラメータ」とも称する）の値として得られる。なお、１つのテンプレートが生成される元となった複数の所見文の入力者が複数存在する場合には、例えば、その複数の入力者のＵスコアの平均値が、該１つのテンプレートの累積数に乗じられることで、該１つのテンプレートの採用基準パラメータの値が算出されても良い。
【００９５】
例えば、１つのテンプレートに関する採用基準パラメータが下記(処理１)〜(処理３)によって得られる。(処理１)テンプレート仮登録ＤＢ１２２から、テンプレート生成部１１１ｄによってテンプレートが生成される元となった１以上の文書情報に関連付けられた入力者の識別情報が認識される。(処理２)Ｕスコアテーブル１２３から、認識された入力者の識別情報に対して関連付けられているＵスコアが認識される。(処理３)テンプレート生成部１１１ｄによるテンプレートの生成頻度に対して、認識されたＵスコアによる重み付け（具体的には、Ｕスコアを乗じること）が行われることで、採用基準パラメータの値が得られる。
【００９６】
そして、テンプレート採用部１１１ｅでは、得られた採用基準パラメータの値に応じて、テンプレート生成部１１１ｄによって生成された複数のテンプレートのうちの少なくとも一部（１以上または全部）のテンプレートが採用される。
【００９７】
このように、Ｕスコアを用いてテンプレートが採用されることで、良い所見文等を入力する入力者が生成に関与したテンプレートが優先的に採用されて提示されることになる。また、採用されるテンプレートがある程度限定されることで、後述するテンプレートの提示において、テンプレートがある程度厳選されて提示されることになり、読影医にとって文書の作成に利用するテンプレートの選択が容易となる。つまり、不要なテンプレートの提示による操作性の低下が回避されることになる。
【００９８】
Ｔスコア設定部１１１ｆは、Ｕスコアテーブル１２３から、テンプレート生成部１１１ｄによって生成され、テンプレート採用部１１１ｅで採用された各テンプレートに係る１以上の所見文を入力したユーザに対応するＵスコアを認識する。そして、Ｔスコア設定部１１１ｆは、認識したＵスコアに応じて、各テンプレートに対し、Ｔスコアの初期値を設定する。なお、Ｕスコアに応じたＴスコアの初期値の設定としては、例えば、Ｕスコアが０〜２０である場合にはＴスコアの初期値が１に設定され、Ｕスコアが２１〜４０である場合にはＴスコアの初期値が２に設定され、Ｕスコアが４１〜６０である場合にはＴスコアの初期値が３に設定され、Ｕスコアが６１〜８０である場合にはＴスコアの初期値が４に設定され、Ｕスコアが８１〜１００である場合にはＴスコアの初期値が５に設定されるといった態様が考えられる。
【００９９】
そして、Ｔスコア設定部１１１ｆは、テンプレート採用部１１１ｅで採用されたテンプレート毎に、Ｔスコアの初期値を設定し、テンプレート毎にＴスコアを関連付けて記憶部１２０に蓄積することで、テンプレートＤＢ１２４を構築する。また、このとき、各テンプレートに対して、テンプレート仮登録ＤＢ１２２において各テンプレートに付与されていたＴ番号とユーザＩＤとが関連付けられる。
【０１００】
図９は、テンプレートＤＢ１２４の記憶内容の具体例を示す模式図である。
【０１０１】
テンプレートＤＢ１２４では、複数のテンプレートについて、Ｔ番号とテンプレートとＴスコアとユーザＩＤを含む情報が蓄積されている。つまり、テンプレートＤＢ１２４では、各テンプレートについて、Ｔ番号とテンプレートとＴスコアとユーザＩＤとが関連付けられた情報が蓄積されている。
【０１０２】
なお、図９では、Ｔスコアの大きな順に、上から順にテンプレートが並べられた状態が示されているが、このように、テンプレートＤＢ１２４においてＴスコアの順にテンプレートが管理されていれば、後述するテンプレートの提示の処理を行う上で好ましい。
【０１０３】
図１０は、情報処理システム１のテンプレート準備機能に係る動作フローを示すフローチャートである。本動作フローは、所定のタイミングでサーバ制御部１１０の制御下で実現される。
【０１０４】
ステップＳ１では、データ読込部１１１ａにより、文書を示すデータ（文書データ）が既存文書ＤＢ１２１から読み込まれる。ここでは、１つの所見文を示すデータが入力者の識別情報とともに読み込まれる。
【０１０５】
ステップＳ２では、処理済判定部１１１ｂにより、ステップＳ１で読み込まれた文書データに対し、テンプレートを生成する処理（Ｔ生成処理）が既に施されているか否かが判定される。ここで、Ｔ生成処理が施されていれば、ステップＳ１に戻り、次の文書データの読み込みが行われる。一方、Ｔ生成処理が施されていなければ、ステップＳ３に進む。
【０１０６】
ステップＳ３では、要素認識部１１１ｃにより、文書（例えば、所見文）を構成する所定数の項目にそれぞれ属する複数の要素が認識される。
【０１０７】
ステップＳ４では、テンプレート生成部１１１ｄにより、ステップＳ３で複数の要素が認識された文書に係るテンプレートが生成される。このとき、テンプレート仮登録ＤＢ１２２が構築される。
【０１０８】
ステップＳ５では、処理済判定部１１１ｂ及びテンプレート採用部１１１ｅにより、既存文書ＤＢ１２１に格納された全ての文書データについてＴ生成処理が完了しているか否か判定される。ここで、全ての文書データについてＴ生成処理が完了していなければ、ステップＳ１に進み、全ての文書データについてＴ生成処理が完了していれば、ステップＳ６に進む。
【０１０９】
ステップＳ６では、テンプレート採用部１１１ｅにより、テンプレート仮登録ＤＢ１２２に格納されたテンプレートのうち、少なくとも一部のテンプレートが、生成頻度に応じて採用される。
【０１１０】
ステップＳ７では、Ｔスコア設定部１１１ｆにより、各テンプレートに対し、各テンプレートの生成元である文書を入力した入力者のＵスコアに応じてＴスコアが設定される。このとき、テンプレートＤＢ１２４が構築される。
【０１１１】
このようして、既存の文書（ここでは、所見文）に応じて文書の書き手に提示するためのテンプレートが準備される。このため、過去の知識を利用して、容易に読み手が読み易いテンプレートの提示が可能となる。また、テンプレートの元となる文書を入力した入力者の評価に応じて、提示されるテンプレートの順が決まることになる。このため、文書の書き手は読み手が読み易いであろうと推察されるテンプレートを容易に選択することができるようになる。
【０１１２】
＜文書生成機能＞
図１１は、情報処理システム１の文書生成機能に係る機能構成について示すブロック図である。
【０１１３】
サーバ制御部１１０は、文書生成機能に係る機能構成として、テンプレート読出部１１２ａ、及び文書登録部１１２ｂ等といった機能構成を有する。また、制御部３１０は、文書生成機能に係る機能構成として、表示制御部３１１、テンプレート指定部３１２、及び文書生成部３１３等といった機能構成を有する。
【０１１４】
テンプレート読出部１１２ａは、文書入力装置３００からの要求に応じて、テンプレートＤＢ１２４から複数のテンプレートに係る情報を読み出して、文書入力装置３００に対して送出する。
【０１１５】
文書登録部１１２ｂは、文書入力装置３００の文書生成部３１３（後述）において生成された１つの文書（ここでは、所見文）を示すデータ（文書データ）を記憶部１２０に順次に記憶していくことで、新文書ＤＢ１２５を構築する。この文書登録部１１２ｂは、各文書データと、該各文書データの生成時に使用されたテンプレートを識別するためのＴ識別情報とを関連付けて新文書ＤＢ１２５に記憶する。つまり、文書登録部１１２ｂは、文書生成部３１３による１つの文書データの生成に応答して、該１つの文書データに対して、該１つの文書データの生成時に使用したテンプレートのＴ識別情報を関連付けて、新文書ＤＢ１２５に順次記憶する。
【０１１６】
表示制御部３１１は、各種情報に基づき表示部３３０に各種画像を可視的に出力させる。ここでは、表示制御部３１１は、テンプレート読出部１１２ａによって読み出された複数のテンプレートに係る情報に基づき、複数のテンプレートに含まれる少なくとも一部のテンプレートを表示部３３０において順次に可視的に出力させる。例えば、テンプレートＤＢ１２４に格納されていた複数のテンプレートと、各テンプレートに係るＴスコアとに応じて、複数のテンプレートが、Ｔスコアの高い順に優先的に表示される。
【０１１７】
テンプレート指定部３１２は、表示部３３０に複数のテンプレートが提示された状態で、ユーザによる入力部３４０からの情報の入力に応答して、複数のテンプレートから１つのテンプレートを、文書の作成に使用するテンプレートとして指定する。
【０１１８】
文書生成部３１３は、テンプレート指定部３１２によって１つのテンプレートが指定された状態で、ユーザによる入力部３４０からの情報の入力に応答して、指定された１つのテンプレートに基づき、１つの文書情報を生成する。
【０１１９】
以下、情報処理システム１の文書生成機能に係る動作について説明する。
【０１２０】
図１２は、読影医が文書を入力するための画面（以下「文書入力画面」とも称する）Ｇ１の表示例を示す図である。
【０１２１】
文書入力画面Ｇ１は、文書入力装置３００のユーザである読影医が、入力部３４０を種々操作することで、表示制御部３１１の制御下で表示部３３０に表示される。
【０１２２】
この文書入力画面Ｇ１は、左側に配置された複数のテンプレートが選択肢として提示される欄（以下「テンプレート選択欄」とも称する）Ｔｓと、右側に配置された文書の作成を行う欄（以下「文書作成欄」とも称する）Ｓｄとを備えて構成される。
【０１２３】
テンプレート選択欄Ｔｓでは、テンプレート読出部１１２ａ及び表示制御部３１１により、テンプレートＤＢ１２４に格納された複数種類のテンプレートの選択肢が、Ｔスコアの大きな順に、上から順に列挙される。なお、ここでは、例えば、テンプレートＤＢ１２４に格納されていた複数のテンプレートの数が所定数よりも少ない場合には、該複数のテンプレートの全てが表示されるが、該複数のテンプレートの数が所定数よりも多い場合には、Ｔスコアの大きな方から順に、複数種類のテンプレートに含まれる少なくとも一部のテンプレートが表示されても良い。
【０１２４】
このテンプレート選択欄Ｔｓにおいて複数種類のテンプレートの選択肢が提示された初期の状態では、最も上部に提示されたテンプレートの選択肢に対して太枠ＦＬが合わされた状態となっている。そして、読影医は、入力部３４０に含まれる所定の部材（例えば、上下キー）を操作することで、テンプレート選択欄Ｔｓに提示される複数種類のテンプレートの選択肢のうち、１つのテンプレートの選択肢に太枠ＦＬを合わせることができる。このとき、テンプレート指定部３１２により、太枠ＦＬが合わされた１つのテンプレートが文書の作成に使用するテンプレートとして指定される。
【０１２５】
文書作成欄Ｓｄは、記入欄ＤＡ、所見文表示欄ＬＡ、テンプレート作成ボタンＴｇｂ、テンプレート修正ボタンＴｒｂ、及び登録ボタンＲｂを備えて構成される。
【０１２６】
記入欄ＤＡは、テンプレート選択欄Ｔｓにおいて太枠ＦＬが合わされて指定されたテンプレートについて、該テンプレートに含まれる所定数の項目に充当させる語句を記入する欄である。この記入欄ＤＡでは、テンプレートにおける項目名の出現順（例えば、部位、所見、診断の順）に合わせて、各項目に充当させる語句を記入する空欄Ｗ１〜Ｗ３が提示される。読影医は、入力部３４０を介して、空欄Ｗ１〜Ｗ３のうちの所望の１つの空欄にマウスポインタＭＰを合わせて、所定の操作（例えば、マウスの左ボタンの押下、以下「左クリック」とも称する）を行うことで、各空欄にカーソルを出現させ、キーボード等から適宜空欄Ｗ１〜Ｗ３に所望の語句を記入することができる。なお、図１２では、項目「部位」の空欄Ｗ１に語句「脳」が充当された状態が例示されている。
【０１２７】
所見文表示欄ＬＡは、読影医によって入力された所見文が表示される欄である。この所見文表示欄ＬＡでは、当初は、テンプレート選択欄Ｔｓにおいて太枠ＦＬが合わされて指定されたテンプレートの構成が示され、記入欄ＤＡの空欄Ｗ１〜Ｗ３に適宜語句が充当されると、テンプレートに含まれる項目名が、空欄Ｗ１〜Ｗ３に充当された語句と置換される。この語句の置換により、読影医は、空欄Ｗ１〜Ｗ３に所望の語句を記入するだけで、所見文を作成することが可能となる。なお、図１２では、テンプレートに含まれる項目名「部位」が空欄Ｗ１に充当された語句「脳」に置換された状態が例示されている。
【０１２８】
そして、文書作成欄Ｓｄにおいて、記入欄ＤＡの全空欄Ｗ１〜Ｗ３に語句が充当され、所望の所見文が所見文表示欄ＬＡに表示された状態で、読影医が入力部３４０を種々操作することで、マウスポインタＭＰで登録ボタンＲｂが押下されると、文書生成部３１３により、所見文表示欄ＬＡに表示されていた所見文を示す文書データが生成される。このとき、文書生成部３１３によって生成された文書データが、該文書データの生成に利用したテンプレートのＴ番号とともに、文書登録部１１２ｂに送信される。そして、文書登録部１１２ｂにより、文書生成部３１３から送信されてきた文書データとＴ番号とが関連付けられ、更に、文書データを特定する情報（ここでは、文書ＩＤ）が付されて、記憶部１２０の新文書ＤＢ１２５に格納される。文書ＩＤは、例えば、新文書ＤＢ１２５に文書データが記憶された順番を示す数値となっている。
【０１２９】
図１３は、新文書ＤＢ１２５の記憶内容の具体例を示す模式図である。
【０１３０】
新文書ＤＢ１２５では、各所見文に対して、文書ＩＤとＴ番号とが関連付けられた状態で、複数の所見文を示す情報が蓄積される。
【０１３１】
なお、テンプレート作成ボタンＴｇｂ、及びテンプレート修正ボタンＴｒｂがマウスポインタＭＰで押下された場合については、後述するテンプレート追加機能に関する説明において述べる。
【０１３２】
図１４は、情報処理システム１の文書生成機能に係る動作フローを示すフローチャートである。本動作フローは、制御部３１０及びサーバ制御部１１０の制御下で実現され、読影医が入力部３４０を種々操作することで、文書入力画面Ｇ１の表示が要求されると、開始される。このとき、制御部３１０が、テンプレート読出部１１２ａに対して、テンプレートに係る情報の転送を要求する。
【０１３３】
ステップＳ１１では、テンプレート読出部１１２ａにより、テンプレートＤＢ１２４に格納される複数のテンプレートに係る情報が読み込まれる。このとき、複数のテンプレートが、Ｔスコアと関連付けられた状態で読み込まれ、表示制御部３１１に送出される。
【０１３４】
ステップＳ１２では、表示制御部３１１により、文書入力画面Ｇ１（例えば、図１２）が表示される。この文書入力画面Ｇ１では、テンプレート選択欄Ｔｓにおいて、ステップＳ１１で読み出された複数のテンプレートに係る情報に基づき、テンプレートＤＢ１２４に格納された複数種類のテンプレートの選択肢が、Ｔスコアの大きな順に、上から順に列挙される。
【０１３５】
ステップＳ１３では、テンプレート指定部３１２により、テンプレート選択欄Ｔｓにおいて最も上部に表示されたテンプレート、すなわちＴスコアが最大のテンプレートが、所見文の作成に使用されるテンプレートとして自動的に指定される。
【０１３６】
ステップＳ１４では、表示制御部３１１により、文書入力画面Ｇ１の右部の文書作成欄Ｓｄに、ステップＳ１３で指定されたテンプレート、又はステップ１９で指定されたテンプレートに応じた記入欄ＤＡと所見文表示欄ＬＡとが表示される。
【０１３７】
ステップＳ１５では、文書入力画面Ｇ１が表示部３３０に表示された状態で、読影医による入力部３４０を介した各種情報の入力が受け付けられる。例えば、記入欄ＤＡの空欄Ｗ１〜Ｗ３への語句の充当、太枠ＦＬの移動、及び登録ボタンＲｂの押下等に係る各種情報の入力が受け付けられる。
【０１３８】
ステップＳ１６では、制御部３１０により、登録ボタンＲｂが押下されたか否か判定さえる。ここで、登録ボタンＲｂが押下されれば、ステップＳ１７に進み、登録ボタンＲｂが押下されていなければ、ステップＳ１８に進む。
【０１３９】
ステップＳ１７では、文書生成部３１３により、新規な所見文を示す文書データが生成され、文書登録部１１２ｂにより、新規な文書データが新文書ＤＢ１２５に登録されて、本動作フローが終了する。このステップＳ１７では、文書登録部１１２ｂにより、文書生成部３１３から送信されてきた文書データとＴ番号とが関連付けられ、更に、文書データを特定する文書ＩＤが付されて、記憶部１２０の新文書ＤＢ１２５に格納される。
【０１４０】
ステップＳ１８では、制御部３１０により、テンプレートの指定の変更が指示されたか否か判定される。例えば、上下キーが押下されてテンプレート選択欄Ｔｓにおいて太枠ＦＬが移動されると、テンプレートの指定の変更が指示されたものと判定されて、ステップＳ１９に進む。一方、テンプレートの指定の変更が指示されていなければ、ステップＳ１５に進む。
【０１４１】
ステップＳ１９では、テンプレート指定部３１２により、テンプレート選択欄Ｔｓで太枠ＦＬが合わされたテンプレートが、所見文の作成に使用されるテンプレートとして指定され、ステップＳ１４に進む。
【０１４２】
＜Ｔスコア変動機能＞
図１５は、情報処理システム１のＴスコア変動機能に係る機能構成について示すブロック図である。
【０１４３】
サーバ制御部１１０は、Ｔスコア変動機能に係る機能構成として、文書読出部１１３ａ、テンプレート評価変更部１１３ｂ、及びテンプレート削除部１１３ｃ等といった機能構成を有する。また、制御部５１０は、Ｔスコア変動機能に係る機能構成として、表示制御部５１１、及びテンプレート評価認識部５１２等といった機能構成を有する。
【０１４４】
文書読出部１１３ａは、文書閲覧装置５００からの文書データの送信要求に応じて、新文書ＤＢ１２５から文書データを該文書データの生成に利用したテンプレートを特定するための情報（Ｔ番号等）とともに読み出して、制御部５１０に送信する。文書閲覧装置５００からの文書データの送信要求が行われる場合としては、例えば、文書閲覧装置５００において、担当医が、放射線科で撮影された画像を視認しつつ、確定診断を下すために、読影医が記入した所見文の閲覧を要求するようなケースが挙げられる。より具体的には、文書閲覧装置５００において、担当医が閲覧する画像が指定されると、その画像に対応する所見文の文書データの送信要求が行われるような態様が考えられる。このような態様を実現するには、例えば、新文書ＤＢ１２５等において、画像と所見文の識別情報とが関連付けられていれば良い。
【０１４５】
テンプレート評価変更部１１３ｂは、テンプレート評価認識部５１２で認識されたテンプレートを評価する情報に応じて、テンプレートＤＢ１２４に格納されたテンプレートに係るＴスコアを変更する。例えば、テンプレートに対する良い評価を示す情報に対して、該テンプレートのＴスコアが１つ増加され、テンプレートに対する悪い評価を示す情報に対して、該テンプレートのＴスコアが１つ低減される。
【０１４６】
テンプレート削除部１１３ｃは、テンプレートＤＢ１２４に格納された複数のテンプレートから、Ｔスコアが所定条件を満たす１以上のテンプレート、及び該テンプレートに関連付けられた情報を削除する。なお、Ｔスコアが所定条件を満たす場合としては、例えば、Ｔスコアが所定値（例えば、０）未満となるような場合等が挙げられる。
【０１４７】
表示制御部５１１は、各種情報に基づき表示部５３０に各種画像を可視的に出力させる。ここでは、表示制御部５１１は、文書読出部１１３ａから送信されてきた１つの所見文の文書データを表示部５３０に可視的に出力させる。
【０１４８】
テンプレート評価認識部５１２は、表示部５３０に１つの所見文の文書データが可視的に出力された状態で、例えば、入力部５４０等の種々の手段を介した所定の情報の入力に応じて、可視的に出力された文書データを生成するために使用したテンプレートを評価する情報を認識する。
【０１４９】
ここで言う所定の情報の入力としては、例えば、表示部５３０に可視的に表示された１つの所見文の文書データに対する質問を示す情報（質問情報）の入力、及び所見文の書き直しを要求する情報の入力等が挙げられる。
【０１５０】
図１６は、新文書ＤＢ１２５から読み出された１つの所見文の文書データが可視的に提示される画面（以下「文書閲覧画面」とも称する）Ｇ２の表示例を示す図である。
【０１５１】
文書閲覧画面Ｇ２は、文書閲覧装置５００のユーザである担当医が、入力部５４０を種々操作することで、表示制御部５１１の制御下で表示部５３０に表示される。
【０１５２】
この文書閲覧画面Ｇ２は、上部に所見文提示領域ＶＷを備え、左下部に評価選択領域ＪＡを備え、右下部に入力ボタンＩｂ、質問ボタンＱｂ、及び書き直し指示ボタンＲＷｂを備えて構成される。
【０１５３】
所見文提示領域ＶＷは、所見文が提示される領域であり、新文書ＤＢ１２５から文書読出部１１３ａによって読み出されて表示制御部５１１に転送された文書データの可視的な表示、すなわち所見文の提示が行われる。
【０１５４】
評価選択領域ＪＡは、所見文の分かり易さについての評価を選択する領域であり、良い評価（読み易い評価）、普通の評価（読み易くもなく、読み難くもない評価）、及び悪い評価（読み難い評価）の選択を受け付ける。具体的には、評価選択領域ＪＡに、丸印の直ぐ右横に付されたラジオボタンＲｂ１、三角印の直ぐ右横に付されたラジオボタンＲｂ２、及びバツ印の直ぐ右横に付されたラジオボタンＲｂ３が設けられている。そして、担当医が入力部５４０を種々操作することで、この３つのラジオボタンＲｂ１〜Ｒｂ３のうちの何れか１つのラジオボタンにマウスポインタＭＰを合わせて左クリックを行うことで、３つのラジオボタンＲｂ１〜Ｒｂ３のうちの１つのラジオボタンが択一的に選択された状態（ここでは、黒丸が付された状態）に設定することができる。
【０１５５】
そして、ここでは、ラジオボタンＲｂ１に黒丸が付された状態が、良い評価が選択された状態であり、ラジオボタンＲｂ２に黒丸が付された状態が、普通の評価が選択された状態であり、ラジオボタンＲｂ３に黒丸が付された状態が、悪い評価が選択された状態となる。
【０１５６】
入力ボタンＩｂは、評価選択領域ＪＡで選択されている評価を入力するためのボタンであり、担当医による入力部５４０の操作に応じて入力ボタンＩｂが押下されると、評価選択領域ＪＡで選択されている評価を示す情報がテンプレート評価認識部５１２に入力される。このとき、テンプレート評価認識部５１２により、入力されてきた評価を示す情報が、所見文提示領域ＶＷに提示された所見文を作成する際に用いられたテンプレートに対する評価を示す情報として認識され、テンプレート評価変更部１１３ｂにより、該テンプレートを評価する情報に応じて、該テンプレートに係るＴスコアが変更される。
【０１５７】
質問ボタンＱｂは、所見文提示領域ＶＷに提示された所見文について読影医に質問を行うためのボタンである。例えば、担当医は、所見文提示領域ＶＷに提示された所見文が分かり難いものであった場合に、読影医に質問を行う。ここでは、担当医による入力部５４０の操作に応じて質問ボタンＱｂがマウスポインタＭＰで押下されると、図示を省略する質問を入力するためのボックスが表示部５３０に表示され、担当医は読影医に対する質問情報を入力することができる。
【０１５８】
このように、読影医に質問が行われる場合には、所見文提示領域ＶＷに提示された所見文が分かり難かったものと推定されるため、ここでは、質問情報が入力されると、該質問情報が入力されたことがテンプレート評価認識部５１２に入力される。このとき、テンプレート評価認識部５１２により、所見文提示領域ＶＷに提示された所見文を作成する際に用いられたテンプレートに対する悪い評価を示す情報が認識され、テンプレート評価変更部１１３ｂにより、該テンプレートに係るＴスコアが低減される。
【０１５９】
書き直し指示ボタンＲＷｂは、所見文提示領域ＶＷに提示された所見文について読影医に書き直しを求めるためのボタンである。例えば、担当医は、所見文提示領域ＶＷに提示された所見文を理解することができなかった場合に、読影医に書き直しを要求する。ここでは、担当医による入力部５４０の操作に応じて書き直し指示ボタンＲＷｂがマウスポインタＭＰで押下されると、電子メール等が利用されて、文書ＩＤ等といった書き直しを求める所見文を特定することのできる情報とともに、所見文の書き直しを要求する情報が読影医に対して伝達される。
【０１６０】
このように、読影医に所見文の書き直しの要求が行われる場合には、所見文提示領域ＶＷに提示された所見文が分かり難かったものと推定されるため、ここでは、書き直しを要求する情報が入力されると、該書き直しを要求する情報が入力されたことがテンプレート評価認識部５１２に入力される。このとき、テンプレート評価認識部５１２により、所見文提示領域ＶＷに提示された所見文を作成する際に用いられたテンプレートに対する悪い評価を示す情報が認識され、テンプレート評価変更部１１３ｂにより、該テンプレートに係るＴスコアが低減される。
【０１６１】
図１７及び図１８は、Ｔスコアの変更例を説明するために、Ｔスコアの変更前後におけるテンプレートＤＢの記憶内容の具体例を示した模式図である。
【０１６２】
図１７では、Ｔ番号が００１のテンプレートに対するＴスコアが７、Ｔ番号が００７のテンプレートに対するＴスコアが５、Ｔ番号が００３のテンプレートに対するＴスコアが３、Ｔ番号が００２のテンプレートに対するＴスコアが１である状態が示されている。この状態から、Ｔ番号が００３のテンプレートに対するＴスコアが３から６に増加すると、テンプレートＤＢの記憶内容は、図１８で示すようなものに変更される。なお、ここでは、図示を省略しているが、あるテンプレートに対するＴスコアが所定値（例えば０）未満となった場合には、テンプレート削除部１１３ｃにより、Ｔ番号、Ｔスコアを含む該テンプレートに関する情報が、テンプレートＤＢ１２４から削除される。
【０１６３】
図１９及び図２０は、情報処理システム１のＴスコア変動機能に係る動作フローを示すフローチャートである。本動作フローは、制御部５１０及びサーバ制御部１１０の制御下で実現され、担当医が入力部５４０を種々操作することで、文書閲覧装置５００からサーバ制御部１１０に対して文書データの送信が要求されると、開始される。
【０１６４】
ステップＳ２１では、文書読出部１１３ａにより、新文書ＤＢ１２５に格納される１つの所見文の文書データが読み込まれる。このとき、１つの所見文の文書データが、該文書データに関連付けられたＴ番号とともに読み込まれ、表示制御部３１１に送出される。
【０１６５】
ステップＳ２２では、表示制御部５１１により、文書閲覧画面Ｇ２（例えば、図１６）が表示される。この文書閲覧画面Ｇ２では、所見文提示領域ＶＷにおいて、ステップＳ２１で読み出された１つの所見文の文書データが可視的に提示される。
【０１６６】
ステップＳ２３では、文書閲覧画面Ｇ２が表示部５３０に表示された状態で、担当医による入力部５４０を介した各種情報の入力が受け付けられる。例えば、評価選択領域ＪＡにおける評価の選択、入力ボタンＩｂ、質問ボタンＱｂ、書き直し指示ボタンＲＷｂの押下等に係る各種情報の入力が受け付けられる。
【０１６７】
ステップＳ２４では、制御部５１０により、入力ボタンＩｂが押下されたか否か判定される。ここでは、入力ボタンＩｂが押下されれば、ステップＳ２５に進み、入力ボタンＩｂが押下されていなければ、ステップＳ２７に進む。
【０１６８】
ステップＳ２５では、テンプレート評価認識部５１２により、文書閲覧画面Ｇ２で選択された評価を示す情報が、所見文提示領域ＶＷに提示された所見文を作成する際に用いられたテンプレートに対する評価を示す情報として認識される。このとき、テンプレートに対する評価を示す情報と、テンプレートを特定する情報（例えば、Ｔ番号）とが、テンプレート評価変更部１１３ｂに送信される。
【０１６９】
ステップＳ２６では、テンプレート評価変更部１１３ｂにより、ステップＳ２５で認識されたテンプレートを評価する情報に応じて、該テンプレートに係るＴスコアが変更される。
【０１７０】
ステップＳ２７では、制御部５１０により、質問ボタンＱｂが押下されて、質問情報が入力されたか否か判定される。ここでは、質問情報が入力されれば、ステップＳ２８に進み、質問情報が入力されていなければ、図２０のステップＳ３１に進む。
【０１７１】
ステップＳ２８では、テンプレート評価認識部５１２により、所見文提示領域ＶＷに提示された所見文を作成する際に用いられたテンプレートに対する悪い評価を示す情報が認識される。このとき、テンプレートに対する悪い評価を示す情報と、テンプレートを特定する情報（例えば、Ｔ番号）とが、テンプレート評価変更部１１３ｂに送信される。
【０１７２】
ステップＳ２９では、テンプレート評価変更部１１３ｂにより、ステップＳ２８で認識されたテンプレートの悪い評価を示す情報に応じて、該テンプレートに係るＴスコアが低減され、ステップＳ３０に進む。
【０１７３】
図２０のステップＳ３１では、制御部５１０により、書き直し指示ボタンＲＷｂが押下されたか否か判定される。ここでは、書き直し指示ボタンＲＷｂが押下されれば、ステップＳ３２に進み、書き直し指示ボタンＲＷｂが押下されていなければ、図１９のステップＳ２３に進む。
【０１７４】
ステップＳ３２では、テンプレート評価認識部５１２により、所見文提示領域ＶＷに提示された所見文を作成する際に用いられたテンプレートに対する悪い評価を示す情報が認識される。このとき、テンプレートに対する悪い評価を示す情報と、テンプレートを特定する情報（例えば、Ｔ番号）とが、テンプレート評価変更部１１３ｂに送信される。
【０１７５】
ステップＳ３３では、テンプレート評価変更部１１３ｂにより、ステップＳ３２で認識されたテンプレートの悪い評価を示す情報に応じて、該テンプレートに係るＴスコアが低減され、ステップＳ３０に進む。
【０１７６】
図１９のステップＳ３０では、テンプレート削除部１１３ｃにより、テンプレートＤＢ１２４に格納されたテンプレートの整理が行われて、本動作フローが終了される。このステップＳ３０では、例えば、テンプレート削除部１１３ｃにより、テンプレートＤＢ１２４が参照されて、Ｔスコアが所定値未満となったテンプレートが、Ｔ番号、及びＴスコアとともにテンプレートＤＢ１２４から削除される。
【０１７７】
以上のようにして、テンプレートＤＢ１２４に格納された各テンプレートのＴスコアが文書の読み手による評価に応じて変動する。このため、文書入力装置３００で表示される文書入力画面Ｇ１において、読み手の評価が反映されたＴスコアの順に複数のテンプレートが提示される。
【０１７８】
また、ここでは、質問情報、及び書き直しを要求する情報のうちの少なくとも１つの情報の入力に応じて、Ｔスコアが変動されるため、Ｔスコアをより適正に読み手の評価を反映したものとすることができる。また、読み手からの評価が低いテンプレートについては削除されるため、文書入力画面Ｇ１（例えば、図１２）に表示されるテンプレートが多く成り過ぎて、文書の作成に利用するテンプレートの選択が難しくなるような不具合が回避されることになる。
【０１７９】
＜テンプレート追加機能＞
図２１は、情報処理システム１のテンプレート追加機能に係る機能構成について示すブロック図である。
【０１８０】
サーバ制御部１１０は、テンプレート追加機能に係る機能構成として、テンプレート読出部１１２ａ、テンプレート追加部１１４ｂ、及びＴスコア設定部１１４ｃ等といった機能構成を有する。また、制御部３１０は、テンプレート追加機能に係る機能構成として、表示制御部３１１、被修正テンプレート決定部３１４、テンプレート生成部３１５、及びユーザ情報追加部３１６等といった機能構成を有する。
【０１８１】
テンプレート読出部１１２ａは、上述したように、文書入力装置３００からの要求に応じて、テンプレートＤＢ１２４から複数のテンプレートに係る情報を読み出して、文書入力装置３００に対して送出する。
【０１８２】
テンプレート追加部１１４ｂは、テンプレート生成部３１５で生成された新規なテンプレートと、ユーザ情報追加部３１６から送信されてきたユーザの識別情報（ここでは、ユーザＩＤ）とを関連付けて、テンプレートＤＢ１２４に追加する。なお、このとき、新規なテンプレートに対して、Ｔ番号が付与される。
【０１８３】
Ｔスコア設定部１１４ｃは、テンプレート生成部３１５で生成された新規なテンプレートに対し、所定のルールに従って、Ｔスコアの初期値を設定する。なお、所定のルールとしては、新規なテンプレートの追加を指示したユーザ（例えば、読影医）のＵスコアに応じて、Ｔスコアの初期値を設定するようなルールが挙げられる。具体的には、Ｔスコア設定部１１４ｃが、Ｕスコアテーブル１２３を参照しつつ、テンプレートを示す情報を入力したユーザのＵスコアを認識し、該認識されたＵスコアに応じて、新規なテンプレートを示す情報に対して、Ｔスコアの初期値を設定する。
【０１８４】
また、Ｔスコア設定部１１４ｃは、テンプレート生成部３１５によって１つのテンプレートの一部を修正することで生成された修正後のテンプレートに対し、修正の元となった１つのテンプレートに係るＴスコアに応じて、Ｔスコアの初期値を設定する。例えば、修正元のテンプレートのＴスコアと同一の値が、Ｔスコアの初期値として設定されても良いし、修正元のテンプレートのＴスコアと所定の関係（例えば、１小さい関係）を有する値が、Ｔスコアの初期値として設定されても良い。
【０１８５】
表示制御部３１１は、上述したように、各種情報に基づき表示部３３０に各種画像を可視的に出力させる。
【０１８６】
被修正テンプレート決定部３１４は、表示部３３０に文書入力画面Ｇ１（例えば、図１２）が提示された状態で、ユーザ（例えば、読影医）による入力部３４０からの情報の入力に応じて、テンプレートＤＢ１２４に含まれる１つのテンプレートを修正の対象として決定する。例えば、文書入力画面Ｇ１で所望のテンプレートに太枠ＦＬが合わされた状態で、テンプレート修正ボタンＴｒｂがマウスポインタＭＰによって押下されると、太枠ＦＬが合わされた所望のテンプレートが修正の対象（以下「修正対象テンプレート」とも称する）として決定される。
【０１８７】
テンプレート生成部３１５は、ユーザによる入力部３４０からの新規なテンプレートを示す情報の入力に応じて、新規なテンプレートを生成する。なお、テンプレート生成部３１５によって新規なテンプレートが生成される態様には、例えば、ユーザによる入力部３４０からの情報の入力に応じて修正対象テンプレートの一部を修正されることで修正後のテンプレートが新規なテンプレートとして生成される態様と、ユーザによる入力部３４０からの情報の入力に応じて全く新規なテンプレートが生成される態様とが含まれる。
【０１８８】
ユーザ情報追加部３１６は、テンプレート生成部３１５において新規なテンプレートが生成された際に、文書入力装置３００を使用しているユーザを識別するための識別情報（ここでは、ユーザＩＤ）を、テンプレート追加部１１４ｂに送信する。なお、ユーザ情報追加部３１６において文書入力装置３００のユーザの識別情報を認識する手法としては、例えば、文書入力装置３００の使用開始時にユーザＩＤの入力等を要求するような手法等が挙げられる。
【０１８９】
ここで、テンプレートＤＢ１２４に対する新規なテンプレートの追加動作について具体例を挙げつつ説明する。
【０１９０】
図２２は、全く新規なテンプレートを作成するための画面（以下「テンプレート作成画面」とも称する）Ｇ１１の表示例を示す図である。
【０１９１】
このテンプレート作成画面Ｇ１１は、図１２で示した文書入力画面Ｇ１でテンプレート作成ボタンＴｇｂがマウスポインタＭＰで押下されたことに応答して、表示制御部３１１により表示部３３０に表示される。
【０１９２】
テンプレート作成画面Ｇ１１は、中央付近に配置された作成欄ＧＣと、下部に配置されたキャンセルボタンＱｂ１及び追加ボタンＡｂ１とを有して構成される。
【０１９３】
作成欄ＧＣは、ユーザが自由に新規なテンプレートの構成を記入する欄である。例えば、ユーザがマウスポインタＭＰを作成欄ＧＢに合わせてカーソルを出現させて、入力部３４０に含まれるキーボードを種々操作することで、所望のテンプレートを作成欄ＧＣに記入することができる。なお、ここで記入されるテンプレートの構成は、例えば、所定種類の項目に係る語句が充当される位置が、<項目名>で記載された所見文の構成を有する。図２２では、「<部位>には<所見>がある。<診断>か。」というテンプレートの構成が作成欄ＧＣに記入されている状態が示されている。
【０１９４】
そして、ユーザが入力部３４０を種々操作することで、作成欄ＧＣに所望のテンプレートの構成が記入された状態で、追加ボタンＡｂ１がマウスポインタＭＰで押下されると、テンプレート生成部３１５により、作成欄ＧＣに記入されていたテンプレートの構成に基づき、新規なテンプレートが生成される。このとき、テンプレート生成部３１５で生成された新規なテンプレートを示す情報と、ユーザ情報追加部３１６で認識されたユーザＩＤとがサーバ制御部１１０のテンプレート追加部１１４ｂに送信され、テンプレートＤＢ１２４への新規なテンプレートの登録が行われる。
【０１９５】
図２３は、図１８で示したテンプレートＤＢ１２４の記憶内容に対して、新規なテンプレートに係る情報が追加された状態を例示する図である。
【０１９６】
図２３では、新規なテンプレートに係る情報として、Ｔ番号が０１１、テンプレートが「<部位>には<所見>がある。<診断>か。」、Ｔスコアが１の情報がテンプレートＤＢ１２４に対して追加された状態が示されている。
【０１９７】
なお、図２３では、新規なテンプレートのＴスコアの初期値を便宜的に１としているが、Ｕスコアテーブル１２３にテンプレートの作成者のユーザＩＤに対応するＵスコアが存在している場合には、そのＵスコアに応じた初期値が設定される。例えば、Ｕスコアが０〜２０である場合にはＴスコアの初期値が１に設定され、Ｕスコアが２１〜４０である場合にはＴスコアの初期値が２に設定され、Ｕスコアが４１〜６０である場合にはＴスコアの初期値が３に設定され、Ｕスコアが６１〜８０である場合にはＴスコアの初期値が４に設定され、Ｕスコアが８１〜１００である場合にはＴスコアの初期値が５に設定されるといった態様が考えられる。
【０１９８】
また、テンプレート作成画面Ｇ１１が表示された状態で、キャンセルボタンＱｂ１がマウスポインタＭＰで押下されると、表示部３３０におけるテンプレート作成画面Ｇ１１の表示が終了され、元の文書入力画面Ｇ１が表示された状態に戻る。
【０１９９】
図２４は、既存のテンプレートを修正して新規なテンプレートを作成するための画面（以下「テンプレート修正画面」とも称する）Ｇ１２の表示例を示す図である。
【０２００】
このテンプレート修正画面Ｇ１２は、図１２で示した文書入力画面Ｇ１でテンプレート修正ボタンＴｒｂがマウスポインタＭＰで押下されたことに応答して、表示制御部３１１により表示部３３０に表示される。
【０２０１】
テンプレート修正画面Ｇ１２は、上部に配置された修正元表示欄ＢＣと、中央付近に配置された修正欄ＡＣと、下部に配置されたキャンセルボタンＱｂ２及び追加ボタンＡｂ２とを有して構成される。
【０２０２】
修正元表示欄ＢＣは、修正の元となるテンプレートの構成が表示される欄である。ここでは、テンプレート修正ボタンＴｒｂが押下された際に文書入力画面Ｇ１で太枠ＦＬが合わされたテンプレートの構成が、修正元表示欄ＢＣに表示される。図２４では、「<部位>に<所見>を認める。<診断>が疑われる。」という修正前のテンプレートの構成が修正元表示欄ＢＣに表示されている状態が示されている。
【０２０３】
また、修正欄ＡＣは、テンプレートの構成の修正を受け付ける欄であり、修正後のテンプレートの構成が修正欄ＡＣに表示される。例えば、テンプレート修正画面Ｇ１２が表示された初期状態では、修正欄ＡＣに、修正元表示欄ＢＣに表示されるテンプレートの構成と同一のテンプレートの構成が表示される。そして、ユーザがマウスポインタＭＰを修正欄ＡＣに合わせてカーソルを出現させて、入力部３４０に含まれるキーボードを種々操作することで、修正欄ＡＣに表示されたテンプレートの構成のうち、主な項目の要素の配置（ここでは、<項目名>の配置）以外の語句（例えば、助詞や助動詞や動詞）を所望の語句に修正することができる。図２４では、「<部位>に<所見>を認める。<診断>と思われる。」という修正後のテンプレートの構成が修正欄ＡＣに記入されている状態が示されている。
【０２０４】
そして、ユーザが入力部３４０を種々操作することで、修正欄ＡＣに所望のテンプレートの構成が記入された状態で、追加ボタンＡｂ２がマウスポインタＭＰで押下されると、テンプレート生成部３１５により、修正欄ＡＣに記入されていたテンプレートの構成に基づき、新規なテンプレートが生成される。このとき、テンプレート生成部３１５で生成された新規なテンプレートを示す情報と、ユーザ情報追加部３１６で認識されたユーザＩＤとがサーバ制御部１１０のテンプレート追加部１１４ｂに送信され、テンプレートＤＢ１２４への新規なテンプレートの登録が行われる。
【０２０５】
図２５は、図２３で示したテンプレートＤＢ１２４の記憶内容に対して、修正後の新規なテンプレートに係る情報が追加された状態を例示する図である。
【０２０６】
図２５では、新規なテンプレートに係る情報として、Ｔ番号が０１２、テンプレートが「<部位>に<所見>を認める。<診断>と思われる。」、Ｔスコアが７の情報がテンプレートＤＢ１２４に対して追加された状態が示されている。なお、図２５では、新規なテンプレートのＴスコアの初期値として、修正元のテンプレートのＴスコアと同一の値が設定された例が示されている。
【０２０７】
なお、テンプレート修正画面Ｇ１２が表示された状態で、キャンセルボタンＱｂ２がマウスポインタＭＰで押下されると、表示部３３０におけるテンプレート修正画面Ｇ１２の表示が終了され、元の文書入力画面Ｇ１が表示された状態に戻る。
【０２０８】
図２６及び図２７は、情報処理システム１のテンプレート追加機能に係る動作フローを示すフローチャートである。本動作フローは、制御部３１０及びサーバ制御部１１０の制御下で実現され、表示部３３０において文書入力画面Ｇ１が表示されると、開始される。
【０２０９】
ステップＳ４１では、制御部３１０により、テンプレート作成ボタンＴｇｂが押下されたか否か判定される。例えば、テンプレート作成ボタンＴｇｂが押下されれば、ステップＳ４２に進み、テンプレート作成ボタンＴｇｂが押下されていなければ、図２７のステップＳ５１に進む。
【０２１０】
ステップＳ４２では、表示制御部３１１により、表示部３３０にテンプレート作成画面Ｇ１１（例えば、図２２）が表示される。
【０２１１】
ステップＳ４３では、テンプレート作成画面Ｇ１１が表示部３３０に表示された状態で、読影医による入力部３４０を介した各種情報の入力が受け付けられる。例えば、作成欄ＧＣに対するテンプレートの構成の記入、キャンセルボタンＱｂ１の押下、及び追加ボタンＡｂ１の押下等に係る各種情報の入力が受け付けられる。
【０２１２】
ステップＳ４４では、制御部３１０により、キャンセルボタンＱｂ１が押下されたか否か判定される。ここで、キャンセルボタンＱｂ１が押下されなければ、ステップＳ４５に進み、キャンセルボタンＱｂ１が押下されれば、ステップＳ４９に進む。
【０２１３】
ステップＳ４５では、制御部３１０により、追加ボタンＡｂ１が押下されたか否か判定される。ここで、追加ボタンＡｂ１が押下されなければ、ステップＳ４３に戻り、追加ボタンＡｂ１が押下されれば、ステップＳ４６に進む。
【０２１４】
ステップＳ４６では、テンプレート生成部３１５により、作成欄ＧＣに記入されたテンプレートの構成に基づき、新規なテンプレートが生成される。このとき、新規なテンプレートが、テンプレート追加部１１４ｂに送信されるとともに、ユーザ情報追加部３１６から新規なテンプレートの作成者のユーザＩＤの情報もテンプレート追加部１１４ｂに送信される。
【０２１５】
ステップＳ４７では、テンプレート追加部１１４ｂにより、テンプレートＤＢ１２４に、新規なテンプレートが追加される。このとき、新規なテンプレートには、作成者のユーザＩＤが関連付けられる。
【０２１６】
ステップＳ４８では、Ｔスコア設定部１１４ｃにより、Ｕスコアテーブル１２３が参照されつつ、新規なテンプレートのＴスコアの初期値が設定される。このとき、テンプレートＤＢ１２４において、新規なテンプレートに対して、ユーザＩＤとＴスコアとＴ番号とが関連付けられた状態となる。
【０２１７】
ステップＳ４９では、表示制御部３１１により、表示部３３０に文書入力画面Ｇ１が表示された状態となり、ステップＳ４１に戻る。
【０２１８】
また、図２７のステップＳ５１では、制御部３１０により、テンプレート修正ボタンＴｒｂが押下されたか否か判定される。例えば、テンプレート修正ボタンＴｒｂが押下されれば、ステップＳ５２に進み、テンプレート修正ボタンＴｒｂが押下されていなければ、図２６のステップＳ４１に戻る。
【０２１９】
ステップＳ５２では、表示制御部３１１により、表示部３３０にテンプレート修正画面Ｇ１２（例えば、図２４）が表示される。
【０２２０】
ステップＳ５３では、テンプレート修正画面Ｇ１２が表示部３３０に表示された状態で、読影医による入力部３４０を介した各種情報の入力が受け付けられる。例えば、修正欄ＡＣにおけるテンプレートの修正、キャンセルボタンＱｂ２の押下、及び追加ボタンＡｂ２の押下等に係る各種情報の入力が受け付けられる。
【０２２１】
ステップＳ５４では、制御部３１０により、キャンセルボタンＱｂ２が押下されたか否か判定される。ここで、キャンセルボタンＱｂ２が押下されなければ、ステップＳ５５に進み、キャンセルボタンＱｂ２が押下されれば、ステップＳ５９に進む。
【０２２２】
ステップＳ５５では、制御部３１０により、追加ボタンＡｂ２が押下されたか否か判定される。ここで、追加ボタンＡｂ２が押下されなければ、ステップＳ５３に戻り、追加ボタンＡｂ２が押下されれば、ステップＳ５６に進む。
【０２２３】
ステップＳ５６では、テンプレート生成部３１５により、修正欄ＡＣに記入された修正後のテンプレートの構成に基づき、新規なテンプレートが生成される。このとき、新規なテンプレートが、テンプレート追加部１１４ｂに送信されるとともに、ユーザ情報追加部３１６から新規なテンプレートの作成者のユーザＩＤの情報もテンプレート追加部１１４ｂに送信される。
【０２２４】
ステップＳ５７では、テンプレート追加部１１４ｂにより、テンプレートＤＢ１２４に、新規なテンプレートが追加される。このとき、新規なテンプレートには、作成者のユーザＩＤが関連付けられる。
【０２２５】
ステップＳ５８では、Ｔスコア設定部１１４ｃにより、修正元のテンプレートに付されたＴスコアに応じて、新規なテンプレートのＴスコアの初期値が設定される。このとき、テンプレートＤＢ１２４において、新規なテンプレートに対して、ユーザＩＤとＴスコアとＴ番号とが関連付けられた状態となる。
【０２２６】
ステップＳ５９では、表示制御部３１１により、表示部３３０に文書入力画面Ｇ１が表示された状態となり、図２６のステップＳ４１に戻る。
【０２２７】
このようにして、テンプレート追加機能により、文書入力装置３００からテンプレートの修正や追加を行うことができる。このため、ユーザの意図に応じて文書構造の充実化を容易に図ることができる。また、新規なテンプレートを作成する者の信頼度に応じて、Ｔスコアが決定される。このため、テンプレートの提示順を文書の構造を作成した者の評価に応じたものとすることができる。その結果、ユーザは読み手が読み易いであろうと推察されるテンプレートを容易に選択することができる。更に、新たに生成されたテンプレートであっても、読み手から既にある程度の評価を得ているテンプレートに依拠して作成されたものであれば、元のテンプレートに対する評価に応じた評価が付与されるようにすることができる。このため、より読み手が読み易いであろうと推察されるテンプレートの選択が容易な表示が実現される。
【０２２８】
以上のように、本発明の実施形態に係る情報処理システム１によれば、読み手による所定の情報の入力に応じて複数のテンプレートの表示順が変更される。このため、複数のテンプレートの表示順を読み手の評価に応じたものとすることができる。したがって、ユーザは、文書の読み手の評価が相対的に高いテンプレートに沿って所見文を作成することができる。すなわち、ユーザは、読み手が分かり易い文書を作成することができる。特に、テンプレートに沿って文書を作成する構成を採用することで、ユーザは、容易に読み手が分かり易い文書を作成することができる。
【０２２９】
＜変形例＞
以上、この発明の実施形態について説明したが、この発明は上記説明した内容のものに限定されるものではない。
【０２３０】
◎例えば、上記実施形態では、Ｕスコアの変動については特に説明しなかったが、例えば、ある入力者が入力した文書から生成されたテンプレートのＴスコアの変化や、あるユーザの文書の構造を示す情報の入力に応じて生成されたテンプレートのＴスコアの変化に応じて、該入力者や該ユーザのＵスコアが変更される機能（以下「Ｕスコア変動機能」とも称する）が情報処理システム１に付加されていても良い。
【０２３１】
図２８は、情報処理システム１のＵスコア変動機能に係る機能構成について示すブロック図である。
【０２３２】
サーバ制御部１１０は、Ｕスコア変動機能に係る機能構成として、Ｕスコア変更部１１５ａ等といった機能構成を有する。
【０２３３】
Ｕスコア変更部１１５ａは、テンプレートＤＢ１２４を参照して、ユーザＩＤ毎にＴスコアを認識し、その認識結果に応じて、Ｕスコアテーブル１２３に格納される各個人のＵスコアを変更する。例えば、所定値（例えば、１０等）以上のＴスコアが付されたテンプレートに関連付けられたユーザＩＤを認識して、該ユーザＩＤに係るＵスコアを増加させたり、所定値（例えば、０等）未満のＴスコアが付されたテンプレートに関連付けられたユーザＩＤを認識して、該ユーザＩＤに係るＵスコアを低下させたりするような態様が考えられる。
【０２３４】
このように、ある者の評価を示すＵスコアが、その者が作成したテンプレートの評価を示すＴスコアに応じて変動すれば、読み手によるテンプレートの評価を、そのテンプレートを作成した者の評価を示すＵスコアに反映させることができる。その結果、Ｔスコアの初期値がＵスコアに応じて設定される構成では、Ｕスコアの変動によって複数のテンプレートの提示順が変更されることになる。このため、読み手が読み易いであろうと推察されるテンプレートの選択が容易な表示が実現される。
【０２３５】
また、文書の入力者の評価を示すＵスコアを、その入力者が入力した文書に係るテンプレートの評価を示すＴスコアに応じて変動させることができれば、時間の経過とともに入力者の評価を示すＵスコアを容易に変動させることができる。その結果、Ｔスコアの初期値がＵスコアに応じて設定される構成では、Ｕスコアの変動によって複数のテンプレートの提示順が変更されることになる。したがって、時間の経過とともに変化する読み手が読み易い文書の構造をユーザが容易に認識することができるようになる。
【０２３６】
更に、上記実施形態では、テンプレートＤＢ１２４を最初に構築する際に、テンプレート仮登録ＤＢ１２２から、テンプレートＤＢ１２４に格納するテンプレートが採用されたが、これに限られない。例えば、Ｕスコアが時間とともに変動するような場合には、所定期間ごと等、所定のタイミング毎に、テンプレート仮登録ＤＢ１２２からテンプレートＤＢ１２４に格納するテンプレートを採用する動作が行われても良い。このような構成によれば、時間の経過とともに変化するＵスコアも反映させて、文書の作成者に対して提示されるテンプレートがある程度厳選される。このため、時間の経過とともに変化する読み手が読み易いテンプレートをユーザが容易に認識することができるようになる。
【０２３７】
時間とともにＵスコアが変動する具体例としては、図２９で示すようなものが挙げられる。
【０２３８】
例えば、図２９(ａ)で示すように、初期の条件が、(i)テンプレートＡ，Ｂが、ユーザＸが直接作成したもので、(ii)テンプレートＣが、ユーザＸとユーザＹが作成した既存文書から作成されたもので、(iii)テンプレートＤが、ユーザＸが作成した既存文書のみから作成されたもので、(iv)ユーザＸのＵスコアが１００で、(ｖ)ユーザＹのＵスコアが８０であるものとする。
【０２３９】
そして、図２９(ｂ)で示すように、各テンプレートのＴスコアの初期値として、テンプレート仮登録ＤＢ１２２で各テンプレートに関連付けられたユーザＩＤに対応するＵスコアがそのまま適用されるものとすると、テンプレートＡ，Ｂ，ＤのＴスコアの初期値は、何れも１００となる。また、１つのテンプレートに複数のユーザＩＤが関連付けられている場合には、該複数のユーザＩＤに対応するＵスコアの平均値が適用されるものとすると、テンプレートＣのＴスコアの初期値は９０となる。
【０２４０】
また、図２９(ｃ)で示すように、テンプレートＡのＴスコアが１０増加して１１０となり、テンプレートＢのＴスコアが２０増加して１２０となり、テンプレートＤのＴスコアが変動せずに１００であり、テンプレートＣのＴスコアが１０低下して９０となった場合、図２９(ｄ)で示すように、Ｔスコアの変動に応じてユーザＸのＵスコアが変更される。具体的には、ユーザＸが生成に関与したテンプレートのＴスコアが平均で５増加したことに応じて、その変動量である５を元のユーザＸのＵスコアである１００に加算することで、ユーザＸのＵスコアが１０５に変更される。
【０２４１】
次に、時間とともにＵスコアが変動し、テンプレート仮登録ＤＢ１２２から採用されるテンプレートが変更される具体例としては、図３０で示すようなものが挙げられる。
【０２４２】
例えば、図３０(ａ)で示すように、Ｕスコアが１００であるユーザＸが、４つの所見文Ａ１，Ａ２，Ａ３，Ｂ１を作成したとする。
【０２４３】
そして、図３０(ｂ)で示すように、この４つの所見文のうち、３つの所見文Ａ１〜Ａ３からテンプレートＡが生成され、１つの所見文Ｂ１からテンプレートＢが生成される。つまり、テンプレートＡの生成頻度（累積数）が３であり、テンプレートＢの生成頻度（累積数）が１である。ここで、テンプレートの生成頻度に対してＵスコアを乗じて得られる採用基準パラメータについては、テンプレートＡの採用基準パラメータの値が３００、テンプレートＢの採用基準パラメータの値が１００と算出される。ここで、採用基準パラメータの値が２００以上のテンプレートが採用される条件である場合には、テンプレートＡはテンプレートＤＢ１２４に格納するテンプレートとして採用されるが、テンプレートＢは採用されない。なお、ここでは、採用されたテンプレートＡのＴスコアは、ユーザＸのＵスコアがそのまま適用されて１００と設定される。
【０２４４】
その後、図３０(ｃ)で示すように、テンプレートＡのＴスコアが１００から２００に上昇すると、図３０(ｄ)で示すように、テンプレートＡの生成に関与したユーザＸのＵスコアも連動して上昇する。ここでは、Ｔスコアの上昇分がそのままＵスコアの上昇に反映され、ユーザＸのＵスコアが１００から２００に上昇する。このとき、テンプレートを採用する動作が再度行われると、図３０(ｄ)で示すように、テンプレートＡの採用基準パラメータの値が６００、テンプレートＢの採用基準パラメータの値が２００と算出される。このため、テンプレートＡ，Ｂの双方の採用基準パラメータが、テンプレートが採用される条件である２００以上となり、テンプレートＡ，Ｂの双方がテンプレートＤＢ１２４に格納するテンプレートとして採用される。そして、採用されたテンプレートＡ，ＢのＴスコアは、ユーザＸのＵスコアがそのまま適用されて２００と設定される。
【０２４５】
このように、時間とともに変動するＵスコアを用いて、テンプレートの採用やＴスコアの設定を行うことで、良い文書や良いテンプレートを作成したユーザが生成に関与したテンプレートが、文書入力画面Ｇ１で優先的に提示されることになる。
【０２４６】
◎また、上記実施形態では、文書を作成する際に、複数のテンプレートが提示され、主要な項目の語句を充当して、文書の作成を行ったが、これに限られない。例えば、テンプレートの代わりに、文書の構造を示す例文が提示されても良い。このような構成の具体例を以下に説明する。
【０２４７】
図３１は、テンプレートＤＢ１２４の代わりに、所見文の構造を示す複数の例文と、各例文の評価を示すスコア（例文スコア）とが関連付けられたデータベースの記憶内容を例示する図である。
【０２４８】
図３２は、読影医が文書を入力するための文書入力画面Ｇ１Ａの表示例を示す図である。文書入力画面Ｇ１Ａは、文書入力装置３００のユーザである読影医が、入力部３４０を種々操作することで、表示制御部３１１の制御下で表示部３３０に表示される。
【０２４９】
この文書入力画面Ｇ１Ａは、左側に配置される複数の例文が選択肢として提示される欄（以下「例文選択欄」とも称する）ＴｓＡと、右側に配置される文書の作成を行う文書作成欄ＳｄＡとを備えて構成される。
【０２５０】
例文選択欄ＴｓＡでは、複数種類の例文の選択肢が、例文スコアの大きな順に、上から順に列挙される。そして、読影医は、入力部３４０に含まれる所定の部材（例えば、上下キー）を操作することで、例文選択欄ＴｓＡに提示される複数種類の例文のうち、１つの例文に太枠ＦＬＡを合わせることができる。このとき、太枠ＦＬＡが合わされた１つの例文が文書の作成時に参考として使用する例文として指定される。
【０２５１】
文書作成欄ＳｄＡは、参考例文表示欄Ｒｅ、所見文入力欄ＩＡ、及び登録ボタンＲｂを備えて構成される。参考例文表示欄Ｒｅには、例文選択欄ＴｓＡで太枠ＦＬＡが合わされた例文が表示される。所見文入力欄ＩＡは、所見文を自由に記入することができる欄である。なお、所見文入力欄ＩＡには、当初、参考例文表示欄Ｒｅに表示される例文と同じ文が表示され、適宜修正を加えていくことで、所望の所見文を所見文入力欄ＩＡに記入することができるようにしても良い。図３２では、例文「網状影が見られる。腫瘍と思われる。上肺野付近撮像。」を参考にして、所見文「肺の拡張が見られる。動脈瘤と思われる。右肺野中心付近撮像。」が記入されている例が示されている。
【０２５２】
そして、所見文入力欄ＩＡに所望の所見文が記入された状態で、読影医が入力部３４０を種々操作することで、マウスポインタＭＰで登録ボタンＲｂＡが押下されると、所見文入力欄ＩＡに記入されていた所見文を示す文書データが生成される。このとき、新たに生成された文書データに対して、例文選択欄ＴｓＡで選択されて参考例文表示欄Ｒｅに表示された例文を特定する情報を関連付けて記憶させることで、所見文の閲覧時に、所見文の生成に使用された例文を特定して、その例文に対する評価を得るようにすれば良い。
【０２５３】
このような構成においても、１つの文書構造を示す情報が指定された状態で、ユーザによる情報の入力に応答して、１つの文書データが生成されることになり、その文書データの可視的な出力時における所定の情報の入力に応じて、文書構造を示す情報の評価が変更されることになる。なお、ここでは、例文の追加や修正等については特に説明しなかったが、上記実施形態に係るテンプレートの追加や修正と同様に、例文の追加や修正等を実行可能な構成としても良い。
【０２５４】
◎また、上記実施形態では、テンプレート仮登録ＤＢ１２２からテンプレートＤＢ１２４に格納するテンプレートを採用する際に、テンプレートの生成頻度にＵスコアを乗じて重み付けを行うことで、採用基準パラメータを算出したが、これに限られない。例えば、Ｕスコアで重み付けを行うことなく、テンプレートの生成頻度が、採用の条件である生成頻度以上であるか否かで、テンプレート仮登録ＤＢ１２２からテンプレートＤＢ１２４に格納するテンプレートを採用するようにしても良い。
【０２５５】
◎また、上記実施形態では、Ｔスコアの初期値をＵスコアに応じて設定したが、これに限られず、例えば、Ｔスコアの初期値は、予め決められた所定値としても良いし、テンプレートの生成頻度に応じた値としても良い。
【０２５６】
◎また、上記実施形態では、文書入力画面において、複数のテンプレートが、Ｔスコアの大きな順に、空間順次に優先的に表示されたが、これに限られない。例えば、まず、Ｔスコアの最も大きなテンプレートを示す文書入力画面が表示され、所定の操作（例えば、ボタンの押下）がなされると、Ｔスコアが次に大きなテンプレートを示す文書入力画面が表示されるといった具合に、複数のテンプレートが、Ｔスコアの大きな順に従って、時間順次に優先的に表示されても、上記実施形態と同様な効果を得ることができる。
【０２５７】
◎また、上記実施形態では、新文書ＤＢ１２５から所見文の文書データが読み出されて、文書閲覧装置５００で可視的に出力されたが、これに限られず、例えば、文書入力装置３００で新規な所見文の文書データが生成されると、該文書データが、文書ＩＤとＴ番号とともに、文書閲覧装置５００に送信されるような態様も考えられる。
【０２５８】
◎また、上記実施形態では、テンプレート評価認識部５１２においてテンプレートを評価する情報を認識するために使用した所定の情報の入力が、質問情報の入力や書き直しを要求する情報の入力等であったが、これに限られない。
【０２５９】
例えば、所定の情報の入力が、１つの所見文の文書データが表示部３３０に可視的に出力されている期間を示す情報の入力であっても良い。より詳細には、ある１つの所見文を提示する文書閲覧画面Ｇ２が表示部５３０に表示された期間が第１の所定期間以上である場合には、その１つの所見文に係るテンプレートに対する悪い評価が認識され、ある１つの所見文を提示する文書閲覧画面Ｇ２が表示部５３０に表示された期間が第２の所定期間以下である場合には、その１つの所見文に係るテンプレートに対する良い評価が認識されるようにしても良い。このような構成によれば、読み手が特別な操作をしなくてもＴスコアを適正に読み手の評価を反映したものとすることができる。
【０２６０】
また、例えば、カメラでユーザである担当医の視線を検出して、繰り返し読み返していると思われる場合には所見文が分かり難いものと推定して、テンプレートに対する悪い評価が認識されるようにしても良い。より詳細には、例えば、担当医の視線が、第１の所定期間以上、表示されている所見文に向けられた場合には、テンプレートに対する悪い評価が認識され、担当医の視線が、第２の所定期間未満、表示されている所見文に向けられた場合には、テンプレートに対する良い評価が認識されても良い。すなわち、所定の情報の入力が、ユーザが所見文を見ている期間を示す情報の入力であっても良い。このような構成によれば、読み手が特別な操作をしなくて、より確実にＴスコアを適正に読み手の評価を反映したものとすることができる。
【０２６１】
◎また、上記実施形態では、各文書情報が、放射線科で撮影された画像に対する所見文を示す情報であったが、これに限られず、例えば、各文書情報が、所見文を含むレポート、いわゆる読影レポートを示す情報を含んでも良い。このような構成によれば、ユーザである読影医は、読み手が分かり易い読影レポートを作成することができる。
【０２６２】
◎また、上記実施形態では、各種評価が数値で表されたが、これに限られず、所定種類の評価が所定数与えられる度に評価を示すランク（例えば、Ａ，Ｂ，Ｃ，・・・ランク等）が変更されるようなものを採用しても良い。
【０２６３】
◎また、上記実施形態では、放射線を用いて得られた画像を読影して所見文を作成するシステムを例にとって説明したが、これに限られない。例えば、看護レポートやインシデントレポート等といったその他の医療用の文書を作成するシステムについても本発明を適用することができる。更に、例えば、営業レポート等といった医療以外の分野の文書の作成についても本発明を適用することができる。
【０２６４】
◎また、上記実施形態では、サーバ１００、管理用ＰＣ２００、文書入力装置３００，４００、及び文書閲覧装置５００，６００といった複数の機器が通信回線によって接続されることで、各機器の制御部（サーバ制御部１１０、ＰＣ制御部２１０、及び制御部３１０，５１０）において、それぞれ対応するプログラムが実行されることで、情報処理システム１の機能が実現されたが、これに限られず、例えば、情報処理システム１が、１台の機器で構成される場合には、その機器のＣＰＵにおいて１つのプログラムが実行されることにより、情報処理システム１の機能が実現されても良い。
【図面の簡単な説明】
【０２６５】
【図１】本発明の実施形態に係る情報処理システムの概要を示す図である。
【図２】情報処理システムの構成を示すブロック図である。
【図３】情報処理システムにおける処理の概要を示す図である。
【図４】テンプレート準備機能に係る機能構成について示すブロック図である。
【図５】既存文書ＤＢの記憶内容の具体例を示す模式図である。
【図６】記述の所見文から１つのテンプレートが生成される過程を示す図である。
【図７】テンプレート仮登録ＤＢの記憶内容の具体例を示す模式図である。
【図８】Ｕスコアテーブルの記憶内容の具体例を示す模式図である。
【図９】テンプレートＤＢの記憶内容の具体例を示す模式図である。
【図１０】テンプレート準備機能に係る動作フローを示すフローチャートである。
【図１１】文書生成機能に係る機能構成について示すブロック図である。
【図１２】文書入力画面の表示例を示す図である。
【図１３】新文書ＤＢの記憶内容の具体例を示す模式図である。
【図１４】文書生成機能に係る動作フローを示すフローチャートである。
【図１５】Ｔスコア変動機能に係る機能構成について示すブロック図である。
【図１６】文書閲覧画面の表示例を示す図である。
【図１７】テンプレートＤＢの記憶内容の具体例を示す模式図である。
【図１８】テンプレートＤＢの記憶内容の具体例を示す模式図である。
【図１９】Ｔスコア変動機能に係る動作フローを示すフローチャートである。
【図２０】Ｔスコア変動機能に係る動作フローを示すフローチャートである。
【図２１】テンプレート追加機能に係る機能構成について示すブロック図である。
【図２２】テンプレート作成画面の表示例を示す図である。
【図２３】テンプレートＤＢの記憶内容の具体例を示す模式図である。
【図２４】テンプレート修正画面の表示例を示す図である。
【図２５】テンプレートＤＢの記憶内容の具体例を示す模式図である。
【図２６】テンプレート追加機能に係る動作フローを示すフローチャートである。
【図２７】テンプレート追加機能に係る動作フローを示すフローチャートである。
【図２８】Ｕスコア変動機能に係る機能構成について示すブロック図である。
【図２９】Ｕスコアの変動について説明するための図である。
【図３０】テンプレートの採用動作の変形例を示す図である。
【図３１】文書構造のデータベースの記憶内容の変形例を示す模式図である。
【図３２】変形例に係る文書入力画面の表示例を示す図である。
【符号の説明】
【０２６６】
１  情報処理システム
１００  サーバ
１１０  サーバ制御部
１１１ａ  データ読込部
１１１ｂ  処理済判定部
１１１ｃ  要素認識部
１１１ｄ  テンプレート生成部
１１１ｅ  テンプレート採用部
１１１ｆ  Ｔスコア設定部
１１２ａ  テンプレート読出部
１１２ｂ  文書登録部
１１３ａ  文書読出部
１１３ｂ  テンプレート評価変更部
１１３ｃ  テンプレート削除部
１１４ｂ  テンプレート追加部
１１４ｃ  Ｔスコア設定部
１１５ａ  Ｕスコア変更部
１２０  記憶部
１２１  既存文書データベース
１２２  テンプレート仮登録データベース
１２３  ユーザスコアテーブル
１２４  テンプレートデータベース
１２５  新文書データベース
２００  管理用ＰＣ
２１０  ＰＣ制御部
２２０  記憶部
２３０  表示部
２４０  入力部
３００，４００  文書入力装置
３１０，５１０  制御部
３１１，５１１  表示制御部
３１２  テンプレート指定部
３１３  文書生成部
３１４  被修正テンプレート決定部
３１５  テンプレート生成部
３１６  ユーザ情報追加部
３２０，５２０  記憶部
３３０，５３０  表示部
３４０，５４０  入力部
５１２  テンプレート評価認識部
Ｐ１，Ｐ２，Ｐ３，Ｐ５  プログラム
【図１】
2009110485.tif 000003
【図２】
2009110485.tif 000004
【図３】
2009110485.tif 000005
【図４】
2009110485.tif 000006
【図５】
2009110485.tif 000007
【図６】
2009110485.tif 000008
【図７】
2009110485.tif 000009
【図８】
2009110485.tif 000010
【図９】
2009110485.tif 000011
【図１０】
2009110485.tif 000012
【図１１】
2009110485.tif 000013
【図１２】
2009110485.tif 000014
【図１３】
2009110485.tif 000015
【図１４】
2009110485.tif 000016
【図１５】
2009110485.tif 000017
【図１６】
2009110485.tif 000018
【図１７】
2009110485.tif 000019
【図１８】
2009110485.tif 000020
【図１９】
2009110485.tif 000021
【図２０】
2009110485.tif 000022
【図２１】
2009110485.tif 000023
【図２２】
2009110485.tif 000024
【図２３】
2009110485.tif 000025
【図２４】
2009110485.tif 000026
【図２５】
2009110485.tif 000027
【図２６】
2009110485.tif 000028
【図２７】
2009110485.tif 000029
【図２８】
2009110485.tif 000030
【図２９】
2009110485.tif 000031
【図３０】
2009110485.tif 000032
【図３１】
2009110485.tif 000033
【図３２】
2009110485.tif 000034